(57)【要約】      （修正有）【課題】自動車のリモコンキー、ＩＣカード、磁気カード、貴重品等の収納容器の施錠に好適で、多数の暗証情報を容易かつ速やかに設定でき、外来電波や発信電波による自動車の開扉や盗難、盗用を未然に防止し得る、南京錠および収納容器の施錠装置を提供する。【解決手段】錠前に両端部を着脱可能に装着した略Ｕ字形状の吊り金具３と、錠前の表面に出没可能に設けて、暗証情報を入力可能な複数の押しボタン８，９と、錠前の内部に暗証情報を記憶し、かつこの暗証情報を基に吊り金具を施解錠可能に設けた施解錠機構と、を備えた南京錠であり、押しボタン８，９を機能を異にする第１の押しボタン８と第２の押しボタン９とで構成し、第１の押しボタン８を複数配置し、押しボタン８，８の間に第２の押しボタン９を配置した。【選択図】図１
2019100107.tif 000002
【特許請求の範囲】
【請求項１】
錠前に両端部を着脱可能に装着した略Ｕ字形状の吊り金具と、錠前の表面に出没可能に設けて、暗証情報を入力可能な複数の押しボタンと、錠前の内部に前記暗証情報を記憶し、かつこの暗証情報を基に吊り金具を施解錠可能に設けた施解錠機構と、を備えた南京錠において、前記押しボタンを機能を異にする第１の押しボタンと第２の押しボタンとで構成し、前記第１の押しボタンを複数配置し、この押しボタンの間に第２の押しボタンを配置し、前記第１の押しボタンの一回の押圧操作よって一の暗証情報を入力可能にし、前記第２の押しボタンの一回の押圧操作よって、両側の第１の押しボタンを同時に一の暗証情報を入力可能にしたことを特徴とする南京錠。
【請求項２】
前記第１および第２の押しボタンを錠前に組み込むボタンケースに出没可能に配置し、前記第１の押しボタンの押圧方向の軸線上に第１および第２の押しボタンに連係する第１および第２ボタンカムを軸方向に移動可能に配置し、かつ第１および第２の押しボタンの一回の押圧操作よって、第１および第２ボタンカムを同一角度同方向へ回動可能に設けた請求項１記載の南京錠。
【請求項３】
前記第１の押しボタンに一の係合脚を突設し、前記第２の押しボタンに二つの係合脚を突設し、第１の押しボタンの係合脚を第１ボタンカムに係合可能に配置し、第２の押しボタンの二つの係合脚を両側の第１ボタンカムに係合可能に配置した請求項２記載の南京錠
【請求項４】
前記第１若しくは第２の押しボタンまたはそれらの複合操作によって暗証情報を入力可能にした請求項３記載の南京錠。
【請求項５】
前記第２ボタンカムの移動方向の軸線上に錠前に組み込む二つの記憶ギアを配置し、該記憶ギアの凹溝に第２ボタンカムの周面に突設した複数のドグを係合可能に配置した請求項２記載の南京錠。
【請求項６】
前記ボタンケースの後方にロックケースを配置し、該ロックケースに前記記憶ギアと噛合可能な二つのロックギアと、該ロックギアを回動可能に支持するロックプレートと、を配置し、前記ロックギアに切欠溝を形成し、前記ロックプレートのロックギアの回動域に臨ませて切欠溝と係合可能な係合突起を設け、前記切欠溝と係合突起との係合時にロックプレートを側方へ移動可能に設け、かつ前記係合突起とロックギアとの係合時にロックプレートの移動を不可能にした請求項２記載の南京錠。
【請求項７】
前記吊り金具の一端を連結可能な吊り金具連結駒を設け、該連結駒を錠前内の複数の上下位置に移動かつ係留可能に設けた請求項１記載の南京錠。
【請求項８】
前記吊り金具連結駒の周面に弾性片を設けるとともに、錠前内の一側に複数の切溝を上下方向に形成した縦仕切り枠を設け、前記弾性片の先端部を前記切溝に係合可能に設けた請求項７記載の南京錠。
【請求項９】
前記吊り金具連結駒の側面に前記ロックプレートの移動域に臨ませて係合溝を形成し、該係合溝にロックプレートの一端を係脱可能に設けた請求項７記載の南京錠。
【請求項１０】
前記ロックケースの後方に記憶変更板を移動可能に配置し、該記憶変更板に二つの斜状の長孔を設け、該長孔にロックケースの裏面に突設した凸状ガイドを係合可能に挿入するとともに、記憶変更板の一端部にテーパガイドを突設し、該テーパガイドを吊り金具連結駒の裏面に形成したテーパ部に係合可能に配置し、該テーパ部とテーパガイドとの係合を介して、前記ロックケースを上下動かつボタンケースから近接離反動可能に設け、それらのロックギアと記憶ギアとを噛合または噛合解除可能にした請求項６記載の南京錠。
【請求項１１】
押しボタンによる暗証情報入力の前後に、前記ロックケースをボタンケースに近接離反動可能に設け、暗証情報入力時は前記ロックケースをボタンケースから離反し、前記ロックギアと記憶ギアとの噛合を解除可能に設け、暗証情報入力後は前記ロックケースをボタンケースに近接し、ロックギアを記憶ギアに噛合可能に設けた請求項６記載の南京錠。
【請求項１２】
前記錠前内にリセットレバーを上下方向に回動可能に設け、該リセットレバーの一端のリセット摘みを錠前の外部に配置し、リセットレバーの他端の回動域に臨ませてリセット板を係合可能に配置し、該リセット板に二つの切欠溝を設け、該切欠溝を記憶ギアの裏面に形成したリセット板受けに係合可能に配置した請求項１記載の南京錠。
【請求項１３】
押しボタンによる暗証情報入力前に、前記切欠溝を前記リセット板受けに係合し、記憶ギアを一方向へ回動可能に設け、記憶ギアの初期状態を形成可能にした請求項１１記載の南京錠。
【請求項１４】
押しボタンによる暗証情報入力後、前記切欠溝を前記リセット板受けに係合し、前記記憶ギアを他方向へ回動可能に設け、該記憶ギアと噛合するロックギアを回動し、記憶ギアの暗証情報入力をロックギアへ移動可能にした請求項１１記載の南京錠。
【請求項１５】
前記錠前内の吊り金具連結駒の直下に吊り金具ロック板を一方向へ移動可能に付勢し、該ロック板の一端を収納容器の開口部に突設したフックに係合可能に設けた請求項７記載の南京錠。
【請求項１６】
前記錠前の底部を介して収納容器の開口部を閉塞可能に設け、前記底部の一端にフック挿入口を設け、該挿入口に前記フックを挿入可能に設けた請求項１５記載の南京錠。
【請求項１７】
前記吊り金具を二つの吊り金具部材の一端を回動可能に連結して構成した請求項１記載の南京錠。
【請求項１８】
錠前に両端部を着脱可能に装着した略Ｕ字形状の吊り金具と、錠前の表面に出没可能に設けて、暗証情報を入力可能な複数の押しボタンと、錠前の内部に前記暗証情報を記憶し、かつ前記暗証情報を基に吊り金具を施解錠可能に設けた施解錠機構と、を備えた南京錠によって収納容器を施錠可能にした収納容器の施錠装置において、前記収納容器の開口部に有底の南京錠を配置して閉塞し、前記南京錠の押しボタンを機能を異にする第１の押しボタンと第２の押しボタンとで構成し、前記第１の押しボタンを複数配置し、この押しボタンの間に第２の押しボタンを配置し、前記第１の押しボタンの一回の押圧操作よって一の暗証情報を入力可能にし、前記第２の押しボタンの一回の押圧操作よって、両側の第１の押しボタンを同時に一の暗証情報を入力可能にしたことを特徴とする収納容器の施錠装置。
【請求項１９】
前記収納容器の周囲を電磁波シ−ルド部材で囲繞し、該収納容器の開口部に電磁波シールド部材を装着した請求項１８記載の収納容器の施錠装置。
【請求項２０】
前記収納容器の開口部にフックを突設し、該フックの係止溝に錠前内に設けた吊り金具ロック板の一端を係合可能に設けた請求項１８記載の収納容器の施錠装置。
【請求項２１】
前記収納容器の収納室の両側に空気を出入り可能な通気スペースを形成した請求項１８記載の収納容器の施錠装置。
【発明の詳細な説明】
【技術分野】
【０００１】
本発明は、例えば自動車のリモコンキー、ＩＣカード、磁気カード、貴重品等を収納する収納容器の施錠に好適で、多数の暗証情報を容易かつ速やかに入力でき、またリセット操作によって暗証情報を施解錠機構に確実かつ安全に移動し、この暗証情報を基に施解錠可能にして南京錠の安全性と使用上の利便性を向上するとともに、南京錠を電磁波ないし磁気シールド機能を備えた収納容器に装着し、収納容器の施錠を確実かつ安全に行なえ、内部に収納した収納物を外来電波や発信電波から確実かつ安全に遮蔽し、外来電波や発信電波による自動車の開扉や盗難、盗用を未然に防止し得る、南京錠および収納容器の施錠装置に関する。
【背景技術】
【０００２】
従来より、簡易かつ安価な施錠手段として南京錠が使用され、この南京錠として、錠本体にＵ字形の閂部材を係脱可能に装着し、錠本体に前記閂部材の係脱を制御するシリンダ−錠や暗証番号を設定したダイヤルリング錠を設け、シリンダー錠をキー操作し、またはダイヤルリング錠を操作して所期の暗証番号に設定し、それらの錠前を解錠することによって閂部材を錠本体から解放し、例えば窓ガラス戸に装着したクレセントのロック状態を解除し、ガラス戸を開放するようにしたものがある（例えば、特許文献１参照）。
【０００３】
しかし、前記施錠装置のように、キー操作によってシリンダー錠を解錠するものは、シリンダー錠とキーを要し、キーの携帯を要する上にキーを紛失した場合は、その盗用の危険性や解錠が不能になる等の問題があった。
また、ダイヤルリング錠を操作するものは、キーの携帯やキーの紛失の事態は回避できるが、ダイヤルリング錠の暗証番号の入力設定を要し、しかも暗証番号を定期的に変更することが保安上望ましいが、その場合は変更作業が面倒で煩わしいという問題があった。
【０００４】
このような問題を解決するものとして、錠本体にシリンダー錠とダイヤルリング錠を設け、これらの錠前を解錠することによって掛金部材を二重ロック構造に構成し、掛金部材を確実かつ安全にロック解除するようにしたものがある（例えば、特許文献２参照）。
しかし、この南京錠は、シリンダー錠とダイヤルリング錠を要して構成が複雑になり、また掛金部材の解放操作に手間が掛かるという問題があった。
【０００５】
そこで、前記問題を解決するものとして、錠本体の表面に複数の押しボタンを出没自在に設け、該押しボタンの軸部周面にＶ溝係止部と鍵溝部を形成し、錠本体の内部に、前記Ｖ溝係止部を断髪保持する薄板状のクリックバネ体と、鍵突起部を形成したコ字状係止部を設け、前記クリックバネ体の側面を押しボタンの摺動方向に対し略直角に配置し、該クリックバネ体を縦二列に配置した押しボタンの間に配置して、部品点数を低減し薄形かつ軽量に構成した南京錠がある（例えば、特許文献３参照）。
【０００６】
しかし、前記南京錠の押しボタンは、押圧操作した押しボタンの個数とその番号によって暗証番号を入力し、暗証番号の設定に際しては、一つの押しボタンの暗証入力に対し、押圧の有無による当該番号か零の二つの選択しかなく、設定し得る暗証番号に限界があり、また暗証番号の変更にも制約があって、十分な安全性の確保や使用上の利便性を得られなかった。
【０００７】
一方、南京錠を収納容器の錠前に使用したものとして、背板部と、その下端部に回動可能に連結した蓋体部とでボックス本体を構成し、その内部に小物を収納する収納空間を設け、前記背板部の上壁部に吊り金具の両端部を上下動可能に挿通し、前記蓋体部の周面に背板部に対し施解錠可能なダイヤル錠を設け、その使用に際しては、収納空間にキー等の小物を収納し、ダイヤル錠の暗証番号を初期設定から変更し、吊り金具を掛け止め部材に引掛けて南京錠を係留し、小物を取り出す場合はダイヤル錠を操作し、蓋体部を開放して小物を取り出すようにしたものがある（例えば、特許文献４参照）。
【０００８】
しかし、前記収納空間は概して収納スペースが狭く、小物の大きさを制限する上に、収納空間が特別な機能、例えば電磁波シールド機能を備えていないため、収納室に例えば自動車のリモコンキーを収納すると、リモコンキーから発射された特定の電波が収納室の外部へ漏れ、対応する自動車へ入力されてウィンドドアのロックを解除し、盗難や他人による運転を許容して犯罪を引き起こす惧れがあった。
【０００９】
また、南京錠を収納容器の錠前に使用した他のものとして、本体部の上部にＵ字状の施錠杆の軸端部を挿通可能に設け、前記本体部の内部にシリンダ錠を設け、キープレートの回動操作によって施錠杆を引き出し方向へ移動可能にするとともに、前記本体部の下部内側に収容室を設け、該収容室にキープレートや工具を収容可能にし、その開口部に開閉蓋を開閉可能に取付け、該開閉蓋を施錠杆の引き出し時に開放可能に設け、収容室から例えばキープレートを取り出す場合は、シリンダ錠を回動操作し、施錠杆を引き出して開閉蓋を開放し、内部のキープレートを取り出すようにしたものがある（例えば、特許文献５参照）。
【００１０】
しかし、前記収納空間は概して収納スペースが狭く、小物の大きさを制限する上に、収納空間を特別な機能、例えば電磁波シールド機能を備えていないため、収納空間に例えば自動車のリモーコンキーを収納して置くと、前述と同様にリモコンキーから発射された電波が収納空間の外部へ漏れ、対応するキー所有者の自動車へ入力されてウィンドドアのロックを解除し、盗難や他人による運転を許容し犯罪を引き起こす惧れがあった。
【先行技術文献】
【特許文献】
【００１１】
【特許文献１】特許第２５７６０００号公報
【特許文献２】特開平７−２９３０８６号公報
【特許文献３】特開平９−１３７５９号公報
【特許文献４】実用新案登録第３１３８５５０号公報
【特許文献５】特開２００２−１６８０２７号公報
【発明の概要】
【発明が解決しようとする課題】
【００１２】
本発明はこのような問題を解決し、例えば自動車のリモコンキー、ＩＣカード、磁気カード、貴重品等を収納する収納容器の施錠に好適で、多数の暗証情報を容易かつ速やかに入力でき、またリセット操作によって暗証情報を施解錠機構に確実かつ安全に移動し、この暗証情報を基に施解錠可能にして南京錠の安全性と使用上の利便性を向上するとともに、南京錠を電磁波ないし磁気シールド機能を備えた収納容器に装着し、収納容器の施錠を確実かつ安全に行なえ、内部に収納した収納物を外来電波や発信電波から確実かつ安全に遮蔽し、外来電波や発信電波による自動車の開扉や盗難、盗用を未然に防止し得る、南京錠および収納容器の施錠装置を提供することを目的とする。
【課題を解決するための手段】
【００１３】
請求項１の発明は、錠前に両端部を着脱可能に装着した略Ｕ字形状の吊り金具と、錠前の表面に出没可能に設けて、暗証情報を入力可能な複数の押しボタンと、錠前の内部に前記暗証情報を記憶し、かつこの暗証情報を基に吊り金具を施解錠可能に設けた施解錠機構と、を備えた南京錠において、前記押しボタンを機能を異にする第１の押しボタンと第２の押しボタンとで構成し、前記第１の押しボタンを複数配置し、この押しボタンの間に第２の押しボタンを配置し、前記第１の押しボタンの一回の押圧操作よって一の暗証情報を入力可能にし、前記第２の押しボタンの一回の押圧操作よって、両側の第１の押しボタンを同時に一の暗証情報を入力可能にし、２種類の押しボタンとその複合使用によって、押しボタン入力による暗証情報を増量かつ複雑化し、悪戯や不正操作による解錠を防止して使用上の安全を確保するとともに、押しボタンによる暗証情報入力を合理的かつ速やかに行なえるようにしている。
【００１４】
請求項２の発明は、第１および第２の押しボタンを錠前に組み込むボタンケースに出没可能に配置し、前記第１の押しボタンの押圧方向の軸線上に第１および第２の押しボタンに連係する第１および第２ボタンカムを軸方向に移動可能に配置し、かつ第１および第２の押しボタンの一回の押圧操作よって、第１および第２ボタンカムを同一角度同方向へ回動可能に設け、第１および第２の押しボタンの押圧入力を、第１および第２ボタンカムの軸方向変位と回動変位に変換して正確に伝達し、暗証情報を確実に入力し得るようにしている。
請求項３の発明は、第１の押しボタンに一の係合脚を突設し、前記第２の押しボタンに二つの係合脚を突設し、第１の押しボタンの係合脚を第１ボタンカムに係合可能に配置し、第２の押しボタンの二つの係合脚を両側の第１ボタンカムに係合可能に配置し、第１の押しボタンによる暗証情報を一つの第１ボタンカムに伝達し、第２の押しボタンによる情報を二つの第１ボタンカムに同時に伝達し、入力情報の多様化と高速化を図れるとともに、第１の押しボタンによる暗証情報に第２の押しボタンによる暗証情報を重畳して入力し、情報入力の多様化と複雑化および合理化に応じられ、使用上の安全を確保し得るようにしている。
【００１５】
請求項４の発明は、第１若しくは第２の押しボタンまたはそれらの複合操作によって暗証情報を入力可能にし、情報入力の多様化と複雑化および合理化に応じられるとともに、一つないし一種類の押しボタンによる入力を補完しバックアップし得るようにしている。
請求項５の発明は、第２ボタンカムの移動方向の軸線上に錠前に組み込む二つの記憶ギアを配置し、該記憶ギアの凹溝に第２ボタンカムの周面に突設した複数のドグを係合可能に配置し、第２ボタンカムによる暗証情報を記憶ギアに確実に伝達し得るようにしている
請求項６の発明は、ボタンケースの後方にロックケースを配置し、該ロックケースに前記記憶ギアと噛合可能な二つのロックギアと、該ロックギアを回動可能に支持するロックプレートと、を配置し、前記ロックギアに切欠溝を形成し、前記ロックプレートのロックギアの回動域に臨ませて切欠溝と係合可能な係合突起を設け、前記切欠溝と係合突起との係合時にロックプレートを側方へ移動可能に設け、かつ前記係合突起とロックギアとの係合時にロックプレートの移動を不可能にし、記憶ギアの情報を入力し記憶可能な各構成部材をロックケースに備えるとともに、ロックギアの暗証情報未入力時はロックプレートを移動可能にして暗証情報入力に応じられ、暗証情報入力後はロックプレートの移動を規制し、吊り金具のロック状態を形成し得るようにしている。
【００１６】
請求項７の発明は、吊り金具の一端を連結可能な吊り金具連結駒を設け、該連結駒を錠前内の複数の上下位置に移動かつ係留可能に設け、吊り金具連結駒を錠前内の複数位置に係留して吊り金具の装着位置を選択し、暗証情報入力の前後に応じてロックケースとロックプレートの作動を実行し得るようにしている。
請求項８の発明は、吊り金具連結駒の周面に弾性片を設けるとともに、錠前内の一側に複数の切溝を上下方向に形成した縦仕切り枠を設け、前記弾性片の先端部を前記切溝に係合可能に設け、吊り金具連結駒の係留を実現するとともに、例えば弾性片と切溝の係合時の係合音によって、吊り金具連結駒の係留と係留位置を容易に確認し得るようにしている
【００１７】
請求項９の発明は、吊り金具連結駒の側面に前記ロックプレートの移動域に臨ませて係合溝を形成し、該係合溝にロックプレートの一端を係脱可能に設け、暗証情報入力後にロックプレートを係合溝に係合して吊り金具の施錠を実現し、押しボタンによる暗証情報入力に応じられるようにしている。
請求項１０の発明は、ロックケースの後方に記憶変更板を移動可能に配置し、該記憶変更板に二つの斜状の長孔を設け、該長孔にロックケースの裏面に突設した凸状ガイドを係合可能に挿入するとともに、記憶変更板の一端部にテーパガイドを突設し、該テーパガイドを吊り金具連結駒の裏面に形成したテーパ部に係合可能に配置し、該テーパ部とテーパガイドとの係合を介して、前記ロックケースを上下動かつボタンケースから近接離反動可能に設け、それらのロックギアと記憶ギアとを噛合または噛合解除可能にして、押しボタンによる暗証情報入力を実現するとともに、その暗証情報をロックケースへ移動して記憶させ、南京錠の施解錠作動を実行可能にしている。
【００１８】
請求項１１の発明は、押しボタンによる暗証情報入力の前後に、前記ロックケースをボタンケ−スに近接離反動可能に設け、暗証情報入力時は前記ロックケースをボタンケースから離反し、前記ロックギアと記憶ギアとの噛合を解除可能に設け、暗証情報入力後は前記ロックケースをボタンケースに近接し、ロックギアを記憶ギアに噛合可能に設け、暗証情報入力の前後に応じて各部の作動を形成可能にしている。
請求項１２の発明は、錠前内にリセットレバーを上下方向に回動可能に設け、該リセットレバーの一端のリセット摘みを錠前の外部に配置し、リセットレバーの他端の回動域に臨ませてリセット板を係合可能に配置し、該リセット板に二つの切欠溝を設け、該切欠溝を記憶ギアの裏面に形成したリセット板受けに係合可能に配置し、錠前の外部からリセット摘みによってリセット操作を実現するとともに、錠前の内部に設けたリセット板と切欠溝によって、暗証情報入力前後における記憶ギアのリセット操作を実行可能にし、南京錠の確実な施解錠作動を実現可能にしている。
請求項１３の発明は、押しボタンによる暗証情報入力前に、前記切欠溝を前記リセット板受けに係合し、記憶ギアを一方向へ回動可能に設け、記憶ギアの初期状態を形成可能にし、暗証情報入力前の各部の作動や変状をキャンセルし、正確な暗証情報を入力可能にしている。
【００１９】
請求項１４の発明は、押しボタンによる暗証情報入力後、前記切欠溝を前記リセット板受けに係合し、前記記憶ギアを他方向へ回動可能に設け、該記憶ギアと噛合するロックギアを回動し、記憶ギアの暗証情報入力をロックギアへ移動可能にし、暗証情報を記憶ギアからロックギアへ確実に移動可能にしている。
請求項１５の発明は、錠前内の吊り金具連結駒の直下に吊り金具ロック板を一方向へ移動可能に付勢し、該ロック板の一端を収納容器の開口部に突設したフックに係合可能に設け、南京錠による収納容器の開閉を実行可能にしている。
請求項１６の発明は、錠前の底部を介して収納容器の開口部を閉塞可能に設け、前記底部の一端にフック挿入口を設け、該挿入口に前記フックを挿入可能に設け、フックと吊り金具ロック板による施錠を実行可能にしている。
請求項１７の発明は、吊り金具を二つの吊り金具部材の一端を回動可能に連結して構成し、吊り金具を一部材で構成するものに比べ、吊り金具を合理的に製作し得るとともに、両端部を拡開可能に構成して、両端部の装着の容易化を図るようにしている。
【００２０】
請求項１８の発明は、錠前に両端部を着脱可能に装着した略Ｕ字形状の吊り金具と、錠前の表面に出没可能に設けて、暗証情報を入力可能な複数の押しボタンと、錠前の内部に前記暗証情報を記憶し、かつ前記暗証情報を基に吊り金具を施解錠可能に設けた施解錠機構と、を備えた南京錠によって収納容器を施錠可能にした収納容器の施錠装置において、前記収納容器の開口部に有底の南京錠を配置して閉塞し、前記南京錠の押しボタンを機能を異にする第１の押しボタンと第２の押しボタンとで構成し、前記第１の押しボタンを複数配置し、この押しボタンの間に第２の押しボタンを配置し、前記第１の押しボタンの一回の押圧操作よって一の暗証情報を入力可能にし、前記第２の押しボタンの一回の押圧操作よって、両側の第１の押しボタンを同時に一の暗証情報を入力可能にし、２種類の押しボタンとその複合使用によって押しボタン入力による暗証情報を増量かつ複雑化し、悪戯や不正操作による解錠を防止して使用上の安全を確保するとともに、押しボタンによる暗証情報入力を合理的かつ速やかに行なえるようにしている。
【００２１】
請求項１９の発明は、収納容器の周囲を電磁波シールド部材で囲繞し、該収納容器の開口部に電磁波シールド部材を装着し、収納容器の表面で外来電磁波を反射し、その侵入を防止して内部の収納物に対する悪影響を防止するとともに、開口部に装着した電磁波シールド部材によって、収納物から発信する電磁波の透過や漏洩を防止し、その透過ないし漏洩電磁波による事故の発生を防止し、例えば自動車のリモコンキーから発信される電磁波の漏洩による自動車の開扉や盗難、および自動車の不正使用に伴う事故の発生を未然に防止し得るようにしている。
請求項２０の発明は、収納容器の開口部にフックを突設し、該フックの係止溝に錠前内に設けた吊り金具ロック板の一端を係合可能に設け、南京錠の施錠時における収納容器の開放を防止するようにしている。
請求項２１の発明は、収納容器の収納室の両側に空気を出入り可能な通気スペースを形成し、外来電磁波および自動車のリモコンキーから発信される電磁波の減衰を促し、電磁波による事故の発生防止を強化し得るようにしている。
【発明の効果】
【００２２】
請求項１の発明は、押しボタンを機能を異にする第１の押しボタンと第２の押しボタンとで構成し、前記第１の押しボタンを複数配置し、この押しボタンの間に第２の押しボタンを配置し、前記第１の押しボタンの一回の押圧操作よって一の暗証情報を入力可能にし、前記第２の押しボタンの一回の押圧操作よって、両側の第１の押しボタンを同時に一の暗証情報を入力可能にしたから、２種類の押しボタンとその複合使用によって、押しボタン入力による暗証情報を増量かつ複雑化し、悪戯や不正操作による解錠を防止して使用上の安全を確保するとともに、押しボタンによる暗証情報入力を合理的かつ速やかに行なうことができる。
【００２３】
請求項２の発明は、第１および第２の押しボタンを錠前に組み込むボタンケースに出没可能に配置し、前記第１の押しボタンの押圧方向の軸線上に第１および第２の押しボタンに連係する第１および第２ボタンカムを軸方向に移動可能に配置し、かつ第１および第２の押しボタンの一回の押圧操作よって、第１および第２ボタンカムを同一角度同方向へ回動可能に設けたから、第１および第２の押しボタンの押圧入力を、第１および第２ボタンカムの軸方向変位と回動変位に変換して正確に伝達し、暗証情報を確実に入力することができる。
請求項３の発明は、第１の押しボタンに一の係合脚を突設し、前記第２の押しボタンに二つの係合脚を突設し、第１の押しボタンの係合脚を第１ボタンカムに係合可能に配置し、第２の押しボタンの二つの係合脚を両側の第１ボタンカムに係合可能に配置したから、第１の押しボタンによる暗証情報を一つの第１ボタンカムに伝達し、第２の押しボタンによる情報を二つの第１ボタンカムに同時に伝達し、入力情報の多様化と高速化を図れるとともに、第１の押しボタンによる暗証情報に第２の押しボタンによる暗証情報を重畳して入力し、情報入力の多様化と複雑化および合理化に応じられ、使用上の安全を確保することができる。
【００２４】
請求項４の発明は、第１若しくは第２の押しボタンまたはそれらの複合操作によって暗証情報を入力可能にしたから、情報入力の多様化と複雑化および合理化に応じられるとともに、一つないし一種類の押しボタンによる入力を補完しバックアップすることができる
請求項５の発明は、第２ボタンカムの移動方向の軸線上に錠前に組み込む二つの記憶ギアを配置し、該記憶ギアの凹溝に第２ボタンカムの周面に突設した複数のドグを係合可能に配置したから、第２ボタンカムによる暗証情報を記憶ギアに確実に伝達することができる。
【００２５】
請求項６の発明は、ボタンケースの後方にロックケースを配置し、該ロックケースに前記記憶ギアと噛合可能な二つのロックギアと、該ロックギアを回動可能に支持するロックプレートと、を配置し、前記ロックギアに切欠溝を形成し、前記ロックプレートのロックギアの回動域に臨ませて切欠溝と係合可能な係合突起を設け、前記切欠溝と係合突起との係合時にロックプレートを側方へ移動可能に設け、かつ前記係合突起とロックギアとの係合時にロックプレートの移動を不可能にしたから、記憶ギアの情報を入力し記憶可能な各構成部材をロックケースに備えるとともに、ロックギアの暗証情報未入力時はロックプレートを移動可能にして暗証情報入力に応じられ、暗証情報入力後はロックプレートの移動を規制し、吊り金具のロック状態を形成することができる。
【００２６】
請求項７の発明は、吊り金具の一端を連結可能な吊り金具連結駒を設け、該連結駒を錠前内の複数の上下位置に移動かつ係留可能に設けたから、吊り金具連結駒を錠前内の複数位置に係留して吊り金具の装着位置を選択し、暗証情報入力の前後に応じてロックケースとロックプレートの作動を実現することができる。
請求項８の発明は、吊り金具連結駒の周面に弾性片を設けるとともに、錠前内の一側に複数の切溝を上下方向に形成した縦仕切り枠を設け、前記弾性片の先端部を前記切溝に係合可能に設けたから、吊り金具連結駒の係留を実現できるとともに、例えば弾性片と切溝の係合時の係合音によって、吊り金具連結駒の係留と係留位置を容易に確認することができる。
【００２７】
請求項９の発明は、吊り金具連結駒の側面に前記ロックプレートの移動域に臨ませて係合溝を形成し、該係合溝にロックプレートの一端を係脱可能に設けたから、暗証情報入力後にロックプレートを係合溝に係合して吊り金具の施錠を実現し、押しボタンによる暗証情報入力に応じられる効果がある。
請求項１０の発明は、ロックケースの後方に記憶変更板を移動可能に配置し、該記憶変更板に二つの斜状の長孔を設け、該長孔にロックケースの裏面に突設した凸状ガイドを係合可能に挿入するとともに、記憶変更板の一端部にテーパガイドを突設し、該テーパガイドを吊り金具連結駒の裏面に形成したテーパ部に係合可能に配置し、該テーパ部とテーパガイドとの係合を介して、前記ロックケースを上下動かつボタンケースから近接離反動可能に設け、それらのロックギアと記憶ギアとを噛合または噛合解除可能にしたから、押しボタンによる暗証情報入力を実現するとともに、その暗証情報をロックケースへ移動して記憶させ、南京錠の施解錠作動を実行することができる。
【００２８】
請求項１１の発明は、押しボタンによる暗証情報入力の前後に、前記ロックケースをボタンケ−スに近接離反動可能に設け、暗証情報入力時は前記ロックケースをボタンケースから離反し、前記ロックギアと記憶ギアとの噛合を解除可能に設け、暗証情報入力後は前記ロックケースをボタンケースに近接し、ロックギアを記憶ギアに噛合可能に設けたから、暗証情報入力の前後に応じて各部の作動を形成することができる。
請求項１２の発明は、錠前内にリセットレバーを上下方向に回動可能に設け、該リセットレバーの一端のリセット摘みを錠前の外部に配置し、リセットレバーの他端の回動域に臨ませてリセット板を係合可能に配置し、該リセット板に二つの切欠溝を設け、該切欠溝を記憶ギアの裏面に形成したリセット板受けに係合可能に配置したから、錠前の外部からリセット摘みによってリセット操作を実現できるとともに、錠前の内部に設けたリセット板と切欠溝によって、暗証情報入力前後における記憶ギアのリセット操作を実行可能にし、南京錠の確実な施解錠作動を実現することができる。
請求項１３の発明は、押しボタンによる暗証情報入力前に、前記切欠溝を前記リセット板受けに係合し、記憶ギアを一方向へ回動可能に設け、記憶ギアの初期状態を形成可能にしたから、暗証情報入力前の各部の作動や変状をキャンセルし、正確な暗証情報を入力することができる。
【００２９】
請求項１４の発明は、押しボタンによる暗証情報入力後、前記切欠溝を前記リセット板受けに係合し、前記記憶ギアを他方向へ回動可能に設け、該記憶ギアと噛合するロックギアを回動し、記憶ギアの暗証情報入力をロックギアへ移動可能にしたから、暗証情報を記憶ギアからロックギアへ確実に移動することができる。
請求項１５の発明は、錠前内の吊り金具連結駒の直下に吊り金具ロック板を一方向へ移動可能に付勢し、該ロック板の一端を収納容器の開口部に突設したフックに係合可能に設けたから、南京錠による収納容器の開閉を実行することができる。
請求項１６の発明は、錠前の底部を介して収納容器の開口部を閉塞可能に設け、前記底部の一端にフック挿入口を設け、該挿入口に前記フックを挿入可能に設けたから、フックと吊り金具ロック板による施錠を実行することができる。
請求項１７の発明は、吊り金具を二つの吊り金具部材の一端を回動可能に連結して構成したから、吊り金具を一部材で構成するものに比べ、吊り金具を合理的に製作し得るとともに、両端部を拡開可能に構成して、両端部の装着の容易化を図ることができる。
【００３０】
請求項１８の発明は、収納容器の開口部に有底の南京錠を配置して閉塞し、前記南京錠の押しボタンを機能を異にする第１の押しボタンと第２の押しボタンとで構成し、前記第１の押しボタンを複数配置し、この押しボタンの間に第２の押しボタンを配置し、前記第１の押しボタンの一回の押圧操作よって一の暗証情報を入力可能にし、前記第２の押しボタンの一回の押圧操作よって、両側の第１の押しボタンを同時に一の暗証情報を入力可能にしたから、２種類の押しボタンとその複合使用によって押しボタン入力による暗証情報を増量かつ複雑化し、悪戯や不正操作による解錠を防止して使用上の安全を確保できるとともに、押しボタンによる暗証情報入力を合理的かつ速やかに行なうことができる。
【００３１】
請求項１９の発明は、収納容器の周囲を電磁波シ−ルド部材で囲繞し、該収納容器の開口部に電磁波シールド部材を装着したから、収納容器の表面で外来電磁波を反射し、その侵入を防止して内部の収納物に対する悪影響を防止するとともに、開口部に装着した電磁波シールド部材によって、収納物から発信する電磁波の透過や漏洩を防止し、その透過ないし漏洩電磁波による事故の発生を防止し、例えば自動車のリモコンキーから発信される電磁波の漏洩による自動車の開扉や盗難、および自動車の不正使用に伴う事故の発生を未然に防止することができる。
請求項２０の発明は、収納容器の開口部にフックを突設し、該フックの係止溝に錠前内に設けた吊り金具ロック板の一端を係合可能に設けたから、南京錠の施錠時における収納容器の開放を防止することができる。
請求項２１の発明は、収納容器の収納室の両側に空気を出入り可能な通気スペースを形成したから、外来電磁波および自動車のリモコンキーから発信される電磁波の減衰を促し、電磁波による事故の発生防止を強化することができる。
【図面の簡単な説明】
【００３２】
【図１】本発明を適用した南京錠と収納容器との組み立て状態を示す斜視図である。
【図２】本発明を適用した南京錠と収納容器との組み立て状態を示す正面図である。
【図３】図２の平面図である。
【図４】図２の左側面図である。
【図５】本発明を適用した南京錠と収納容器を分解して示す斜視図である。
【００３３】
【図６】（ａ）は図２のＡ−Ａ線に沿う拡大断面図である。（ｂ）は（ａ）の要部の拡大図である。
【図７】（ａ）は図２のＢ−Ｂ線に沿う拡大断面図である。（ｂ）は（ａ）の要部の拡大図である。
【図８】（ａ）は図２のＣ−Ｃ線に沿う拡大断面図である。（ｂ）は（ａ）の要部の拡大図である。
【図９】（ａ）は図２のＤ−Ｄ線に沿う拡大断面図である。（ｂ）は（ａ）の要部の拡大図である。
【００３４】
【図１０】（ａ）は本発明を適用した南京錠の後部側の錠前ケ−スの内部を示す正面図である。（ｂ）は前記後部側の錠前ケ−スの右側面図である。
【図１１】本発明を適用した南京錠の後部側の錠前ケ−スの内部を示す斜視図で、内部に組み付けるリセット板と記憶ギア、リセットレバーを示している。
【図１２】（ａ）は本発明を適用した南京錠の後部側の錠前ケースの内部を示す斜視図で、内部にリセット板とリセットレバーが組み込まれ、その前方に記憶変更板とロックケースアセンブリを示している。（ｂ）はロックケースアセンブリの一側端部を示す斜視図で、捩りバネの取付状態を付記している。
【図１３】本発明を適用した南京錠に組み込むロックケースアセンブリを分解して示す斜視図である。
【００３５】
【図１４】図１３のＥ−Ｅ線に沿う断面図である。
【図１５】図１３のＦ−Ｆ線に沿う断面図である。
【図１６】（ａ）は図１３に示した記憶ギアを拡大して示す斜視図である。（ｂ）は前記記憶ギアの裏面を示す斜視図である。
【図１７】本発明を適用した南京錠に組み込むロックケースアセンブリの組み立て後の状況を示す斜視図である。
【図１８】（ａ）は図１７のＧ−Ｇ線に沿う断面図で、ロックプレートのロック解除移行前の状況を示している。（ｂ）はロックプレートのロック解除移行後の状況を示している。
【図１９】（ａ）は図１７のＨ−Ｈ線に沿う断面図で、ロックプレートのロック解除時の状況を示している。（ｂ）は前記ロックプレートのロック時の状況を示している
【００３６】
【図２０】本発明を適用した南京錠のロックケースに組み込んだロックプレートと、これに連係する吊り金具連結駒と吊り金具との組み立て状況を拡大して示す断面図である。
【図２１】本発明を適用した南京錠の後部側の錠前ケースの内部を示す正面図で、ロックケースアセンブリとリセット板とリセットレバーの組み込み状況を示している。
【図２２】本発明を適用した南京錠の後部側の錠前ケースの内部を示す斜視図で、ロックケースアセンブリとリセット板とリセットレバーの組み込み状況を示し、その前方に吊り金具と吊り金具連結駒との連結状況を示して  いる。
【図２３】本発明に適用した吊り金具を示す正面図である。
【図２４】本発明に適用した吊り金具を分解して示す斜視図である。
【００３７】
【図２５】（ａ）は本発明に適用した吊り金具の一端部と、吊り金具連結駒との連結状況を分解して示す斜視図である。（ｂ）は吊り金具連結駒の裏面側を示す斜視図である。（ｃ）は吊り金具と吊り金具連結駒との連結状況を示す断面図である。
【図２６】本発明に適用した吊り金具ロック板を示す斜視図である。
【図２７】本発明に適用した吊り金具ロック板の底面部の状況を示す斜視図である。
【図２８】（ａ）は本発明を適用した南京錠の後部側の錠前ケースの内部を示す斜視図で、ロックケースアセンブリとリセット板とリセットレバー、および吊り金具と吊り金具連結駒との組み込み状況を示し、その前方にボタンケースアセンブリと第１および第２ボタンカム、記憶ギアを示している  。（ｂ）はロックケースアセンブリの組み込み状況を拡大して示す正面図である。
【００３８】
【図２９】（ａ）は本発明を適用した南京錠に組み込むボタンケースアセンブリを分解して示す斜視図で、第１および第２の押しボタンとボタンスプリングを示している（ｂ）はボタンケースに第１および第２の押しボタンを組み込んだ状況を示す斜視図である。
【図３０】図２９のＨ−Ｈ線に沿う断面図である。
【図３１】図２９のＪ−Ｊ線に沿う断面図である。
【図３２】図２９のＫ−Ｋ線に沿う断面図である。
【図３３】本発明に適用した第１の押しボタンを拡大して示す斜視図である。
【図３４】本発明に適用した第２の押しボタンを拡大して示す斜視図である。
【図３５】本発明に適用した第１のボタンカムと第２のボタンカムを示す斜視図である。
【００３９】
【図３６】（ａ）は図３５のＬ−Ｌ線に沿う断面図である。（ｂ）は図３５のＭ−Ｍ線に沿う断面図である。
【図３７】本発明に適用した第１のボタンカムの後端部を示す正面図である。
【図３８】本発明に適用した第２のボタンカムの前端部を示す正面図である。
【図３９】（ａ）は本発明に適用した記憶ギアを示す斜視図である。（ｂ）は本発明に適用した記憶ギアの裏面状況を示す斜視図である。
【図４０】本発明に適用した記憶ギアの前部を示す正面図で、その凹溝に第２のボタンカムのドグを係合している。
【図４１】図４０のＮ−Ｎ線に沿う断面図である。
【００４０】
【図４２】（ａ）は本発明に適用したリセット板による組み立て直後の記憶ギアのリセット直前の状況を示す正面図である。（ｂ）はリセット板による組み立て直後の記憶ギアのリセット状況を示す正面図である。
【図４３】本発明を適用した南京錠の後部側錠前ケ−スに、ロックケースアセンブリとボタンケースアセンブリ、リセット板とリセットレバー、吊り金具と吊り金具連結駒、吊り金具ロック板を組み込み直後の状況を示す正面図である。
【図４４】本発明を適用した南京錠の後部側錠前ケースに、ロックケースアセンブリとリセット板とリセットレバー、吊り金具と吊り金具連結駒を組み込んだ状況を示す正面図で、暗証情報入力前にロックケースアセンブリを上動してボタンケースアセンブリ（図示略）から離反させている状況を示している。
【００４１】
【図４５】（ａ）は本発明を適用した南京錠の後部側錠前ケースに、ロックケースアセンブリとボタンケースアセンブリ、リセット板とリセットレバー、吊り金具と吊り金具連結駒、吊り金具ロック板を組み込み後の状況と、その前方に前部側錠前ケースを対向して配置した状況を示す斜視図である。（ｂ）は前後側錠前ケースの連結後の後部状況を示す斜視図である。
【図４６】本発明を適用した収納容器を分解して示す斜視図である。
【図４７】図４６のＯ−Ｏ線に沿う断面図である。
【図４８】本発明を適用した収納容器の開放状況を示す斜視図である。
【発明を実施するための形態】
【００４２】
以下、本発明を電磁波ないし磁気シールドボックスの錠前に適用した図示の実施形態について説明すると、図１乃至図４８において１は本発明を適用した南京錠で、その下部に電磁波および磁気シールド機能を備えた箱形の収納容器２が開閉可能に装着されている。
前記南京錠１は正面視略等脚台形の箱形の錠前ケース４を備え、その上面に略逆Ｕ字形状の吊り金具３が立設され、その二つの軸端部を前記上面に着脱可能に装着している。
【００４３】
前記南京錠１は前後面を垂直に形成し、両側面を山形の斜状に形成し、上面を平坦面に形成していて、片側の斜面の中央に断面が略直角三角形の凹状のリセット摘みスペース５を設けている。
前記錠前ケース４は、アルミダイカスト製の二つの錠前ケース６，７を前後に連結して構成され、この錠前ケース６，７の外形を略同形に形成している。
【００４４】
このうち、錠前ケース６は錠前ケース４の前部に配置され、その中央に複数の押しボタン８，９が突出して配置され、錠前ケース７は錠前ケース４の後部に配置され、その内側に施錠錠機構を構成する後述する暗証情報入力機構と、その記憶機構およびその変更機構と、ロック機構、並びにリセット機構と吊り金具ロック機構、を装備している。
前記錠前ケース６，７の下部に、前方または後方に突出する張出部１０，１１が設けられ、その下面に横長矩形の底板１２，１３が配置され、錠前ケ−ス６，７の下部を閉鎖するとともに、この下部に配置する収納容器２の開口部を閉塞している。
【００４５】
前記錠前ケース６は、中央に３個のボタン挿入孔１４が設けられ、その裏面に４本の連結ピン１５が後方に突設されている。
図中、１６は上面に形成した半円形の切欠孔で、吊り金具３の両軸部を係脱可能に設けている。
【００４６】
前記錠前ケース７の内部は、左右に離間して配置した側壁１７，１８と、それらの上端部を連結する上部壁１９と、底板１３とで横長矩形に区画され、その後壁２０の４箇所に前記連結ピン１５を挿入可能なピン孔２１が設けられている。
前記上部壁１９の端面の中間部に二つの浅底の凹溝１９ａ，１９ａが形成され、後述するロックプレートの一対のガイドと係脱可能に配置されている。
【００４７】
前記側壁１７の内側にＴ字枠２２が設けられ、その上部にブロックフレーム２３が連結され、該フレーム２３の前端にピン２４が突設されている。
前記Ｔ字枠２２の側部に横枠２５ａを介して、二つの筒状フレーム２５，２６が上下に配置され、上側の筒状フレーム２５にピン孔２７が形成され、下側の筒状フレーム２６の前端にボス２８が突設されている。
【００４８】
一方、前記側壁１８の内側に段付き枠２９が突設され、該枠２９の段付き部３６の前端にピン孔３０が形成されている。
前記筒状フレーム２５，２６と段付きフレーム２９との間に、略Ｅ字形状の支持フレーム３１が後壁２０から前方へ突設して配置され、その前部に後述するリセット板の収容スペース３２を設けている。
【００４９】
前記支持フレーム３１の上部に二つのピン孔３３が形成され、該ピン孔３３に記憶ギアピン３４が圧入されて前方に突出している。
また、支持フレーム３１の直上に、支持枠３５が後壁２０から前方へ突設して配置され、その上部は、横枠２５ａと段付き枠２９の上面２９ａと同高の水平な平坦面３５ａに形成され、これらの平坦面２５ａ，２９ａ，３５ａと上部壁１９との間に、後述するロックケースアセンブリと記憶変更板の収容スペース３７を形成している。
【００５０】
この他、図中、３８は錠前ケース７の上面に形成した半円形の切欠孔で、吊り金具３の両軸部に係合可能に設けられ、３９はリセット摘みスペース５の下端部に設けた平坦面、４６は支持枠３５の下部に形成した凹溝状のバネ受けである。
【００５１】
前記収容スペース３２に、リセット板４０が支持フレーム３１に沿って上下動可能に収容され、該リセット板４０は耐摩耗性の合成樹脂によって横長矩形に形成され、その上端部に二つの切欠溝４１を形成している。
前記リセット板４０の前面下部に屋根形の係合片４２が突設され、該係合片４２の上端部に角形リブ４３が突設され、該リブ４３の上端部にバネ挿入孔４４が形成されている。
【００５２】
前記バネ挿入孔４４にリセットバネ４５が挿入され、その上端部が前記バネ受け４６に係合して配置され、その弾性を介してリセット板４０を下方へ付勢している。
一方、前記ボス２８にリセットレバー４７の軸孔４８が回動可能に挿入され、該レバー４７の一端にリセットピン４９が突設され、該ピン４９を係合片４２の内側に係合可能に配置している。
前記リセットレバー４７は、耐摩耗性の合成樹脂によって緩やかなＶ字形状に形成され、そのリセットピン４９と反対側に管状のリセット摘み５０を形成し、該摘み５０をリセットスペース５に上下動可能に配置している。
【００５３】
前記リセットレバー４７は前記ボス２８を中心に上下に回動可能に支持され、そのリセットピン４９はリセット板４０に係合可能に配置されていて、常時はリセット板４０に取付けたリセットバネ４５を介して、ボス２８を中心に時計方向へ回動可能に付勢され、そのリセット摘み５０を下方へ旋回可能に配置している。図中、１７ａは側壁１７の下部に形成した切欠部で、リセット摘み４７を滑動可能に収容している。
【００５４】
前記収容スペース３７の奥部に、記憶変更板５１が左右に摺動可能に配置され、該記憶変更板５１は耐摩耗性の合成樹脂によって横長矩形の板状に構成されている。
前記記憶変更板５１の一端にボス５２が突設され、該ボス５２と側壁１７との間に記憶変更バネ５３が介挿され、該バネ５３の弾性によって、記憶変更板５１を側壁１８方向へ移動可能に付勢している。
【００５５】
前記記憶変更板５１に二つの長孔５４が離間して斜状に形成され、これらの長孔５４に、前部に配置するロックケースアセンブリ５５の凸状ガイド５６が係合可能に挿入され、後述する吊り金具連結駒を介して前記アセンブリ５５を上下動可能にしている。
すなわち、ロックケースアセンブリ５５は施解錠機構を備え、常時は後述するボタンケースアセンブリに近接して配置されて、ロックギアと記憶ギアとを噛合可能にさせている
そして、押しボタン８，９による暗証情報入力前に斜め上方へ移動し、前記ボタンケースアセンブリから離反してロックギアと記憶ギアとの噛合を解除可能にしている。
図中、５７は記憶変更板５１の他端に突設した三角柱状のテーパガイドで、前記吊り金具連結駒の裏面に形成したテーパ面と係合可能にされている。
【００５６】
前記ロックケースアセンブリ５５は、耐摩耗性の合成樹脂製のロックケース５８を備え、該ロックケース５８は横長の直方体状に形成され、その内部に異形の中空スペース５９が形成され、その前側の内面に二つのギアスペース６０が形成され、該スペース６０にロックギア６３，６３が回転可能に支持されている。図中、６１はロックケース５８の上面前部に開口したガイド挿入孔、６２はロックケース５８の上面後部に形成したバネ受孔である。
【００５７】
前記ギアスペース６０，６０に耐摩耗性の合成樹脂製のロックギア６３が回転可能に収容され、該ギア６３は後述する記憶ギアと噛合可能に配置され、そのボス６４に設けた軸孔６５に、鋼製の軸６６が回転可能に挿入されている。
前記ロックギア６３は図１６のように、円筒面の片側に複数のギア６７が形成され、その他側面は平滑な円筒面に形成され、その後端面に矩形断面の切欠溝６８が形成され、後述するロックプレートの係合突起と係脱可能にされている。
図中、６９は中空スペース５９の内面とボス６４との間に介挿したバネで、その弾性を介してロックギア６３を弾圧し、振動や衝撃に対するロックギア６３の回動を制動している。
【００５８】
前記ロックプレート７０は中空スペース５９の後部に左右へ移動可能に収容され、該ロックプレート７０は耐摩耗性の合成樹脂によって略横長矩形板状に形成され、その長さ方向に二つの長孔７１が形成されている。
前記長孔７１の近接位置に略台形状の係合突起７２が突設され、該係合突起７２は後述する記憶ギアから暗証情報を移動後、図１９（ｂ）のようにロックギア６３の周面と係合可能に位置して、ロックプレート７０の移動を拘束し、後述する吊り金具連結駒の係合溝との係合を保持してロック状態を形成可能にしている。
【００５９】
一方、南京錠１の組立直後は、ロックギア６３，６３の切欠溝６８，６８が同方向に位置し、切欠溝６８，６８に係合突起７２，７２が係合可能に位置して、ロックプレート７０を左右に移動可能にして、ロック状態を解除可能にしている。これらの状況は図１８（ａ）および図１９（ａ）のようである。
【００６０】
前記ロックプレート７０の上端面に２本の角柱状のガイド７３が突設され、該ガイド７３をロックケース５８のガイド挿入孔６１から突出し、その上端部を常時は上部壁１９の直下に係合可能に配置し、暗証情報入力時はロックケース５８と上動して前記凹溝１９ａに係入可能にされ、ロックギア６３と後述する記憶ギアとの噛合を解除可能にしている。
【００６１】
前記錠前ケース７のピン２４に捩りバネ７４のコイル部が挿入され、その一端が上部壁１９の下面に係合し、他端の折曲部がロックプレート７０の端部に突設したリブ７５，７６の間に係合可能に配置されている。
そして、前記捩りバネ７４の弾性によって、ロックプレート７０を側壁１８および吊り金具連結駒側へ移動可能に付勢し、該プレート７０の端部に形成した山形の係合突起７７を、吊り金具用連結駒の係合溝に係合可能に配置している。
【００６２】
図中、７８は前記バネ受孔６２に収容したバネで、その上端部を上部壁１９に係合し、その弾性によってロックケース５８を下方へ付勢し、衝撃や振動による上下動を抑制可能にして、ロックギア６３と後述の記憶ギアとの異状な噛合や変位を防止可能にしている。
この場合、実施形態では１個のバネ７８を中間部に配置しているが、二つのバネ受孔６２を離間して設け、これらにバネ７８を配置すればロックケース５８を下方へ安定して付勢し得る。
【００６３】
一方、前記吊り金具３は鉄鋼製の二つの吊り金具部材３ａ，３ｂを連結して構成され、これらは同径の線材の一端を湾曲成形し、その先端部に連結部７９，８０を形成し、それらをピン８１を介して回動可能に連結している。
このうち、吊り金具部材３ａは吊り金具部材３ｂよりも若干短く形成され、その湾曲部の端部をＵ字形断面に切削して連結部７９を形成し、吊り金具部材３ｂは湾曲部の端部を平板状に切削して連結部８０を形成し、連結部７９に連結部８０を嵌合し、それらのピン孔にピン８１を挿入して回動可能に連結している。
実施形態では吊り金具部材３ａ，３ｂとピン８１の表面をクロムメッキしており、これらに対候性の合成樹脂製のチューブ８２を被覆して傷の発生を防止している。
【００６４】
前記吊り金具部材３ａの端部に小径部８３が形成され、該小径部８３を一方の切欠孔３８に挿入可能にされ、また吊り金具部材３ｂの端部に小径部８４が形成され、該小径部８４の先端側に頸部８５が形成され、該頸部８５に後述する吊り金具連結駒に挿入する２本の係止ピンと係合可能に配置されている。
図中、８６は前記頸部８５の直上に形成した凸部で、他方の切欠孔３８に形成した係合溝３８ａに位置付けて係合可能に配置され、小径部８４の抜け止めを図っている。
【００６５】
前記小径部８４の端部は、錠前ケ−ス４内に装着した吊り金具連結駒８７に挿入され、該連結駒８７は耐摩耗性の合成樹脂によって略角柱状に形成され、その内部に略角柱状の角孔８８が形成されている。
前記角孔８８にピン孔８９，８９が形成され、該ピン孔８９に２本のピン９０が挿入され、該ピン９０を角孔８８内の頸部８５に係合可能に配置して、角孔８８からの小径部８４の離脱を阻止している。
【００６６】
前記吊り金具連結駒８７は、錠前ケ−ス７内の段付き枠２９と、その側方の縦仕切枠９１との間に配置され、その下部に突設した突片８７ａ，８７ａの下端を底板１３の直上に配置し、該突片８７ａの側面を段付き部３６に係合可能に配置している。
前記突片８７ａ，８７ａの下端に矩形の切欠溝９２が形成され、また吊り金具連結駒８７の外側部に切欠溝９３が楔状に形成され、これに近接する吊り金具連結駒８７の外側面に二つの切欠溝９４が形成され、これらの切欠溝９４によって、二つの弾性板９５を形成し、かつその先端部を厚さ方向へ変位可能に形成している。
【００６７】
前記弾性板９５は基部を支点に外側へ変位可能に形成され、その先端の係合突起９５ａを、縦仕切り枠９１の内面に形成した大小複数の切溝９６に係合可能に配置し、吊り金具連結駒８７の取付け位置を係留可能にしている。
この実施形態では南京錠１の組み立て直後は、係合突起９５ａを中間位置の切溝９６に係合し、吊り金具連結駒８７を中間位置に取付けている。
図中、９７は吊り金具連結駒８７の内側に形成した略Ｖ字断面の係合溝で、施錠時に前記ロックプレート７０の係合突起７７と係合可能に配置されている。
【００６８】
前記切欠溝９２に吊り金具ロック板９８の一端が挿入され、この他端が、縦仕切り枠９０の下端を略Ｕ字形状に形成した凸枠９９と、底板１３との間に挿入されている。
前記吊り金具ロック板９８は、耐摩耗性の合成樹脂によって略板状に形成され、その下面の一端に凹溝１００が形成され、該凹溝１００にバネ１０１が収容されている。
前記バネ１０１は、段付きフレーム２９の下部と凹溝１００の奥部との間に介挿され、その弾性によって吊り金具ロック板９８を外側へ移動可能に付勢し、先端の山形の係合部９８ａを収納容器２に突設した後述のフックに係合可能に配置している。
【００６９】
図中、１０２は吊り金具ロック板９８の基端側に突設した係止片で、前記凸枠９９の内側周面と係合可能に配置され、１０３，１０３は前記ロック板９８の下面に形成した肉盗み用の凹溝である。
前記錠前ケース６，７の下端部の一端に半円筒形の一対の蝶番軸１０４が突設され、この他端にフック挿入口１０５が形成され、該挿入口１０５に収納容器２の着脱時に後述のフックを出入可能にしている。
【００７０】
一方、前記ロックケースアセンブリ５５の直下にボタンケースアセンブリ１０６が配置されている。前記ボタンケ−スアセンブリ１０６は、その外郭を形成するボタンケース１０７と、該ケース１０７の前部に取付ける２種類の第１および第２の押しボタン８，９と、第１の押しボタン８に連係する第１ボタンカム１１１と、第１ボタンカム１１１に連係する第２ボタンカム１０９と、第２ボタンカム１０９の回動角度を伝達される記憶ギア１０８と、それらの間に介挿するカムスプリング１１０と、を備えている。
【００７１】
このうち、ボタンケース１０７は耐摩耗性の合成樹脂によって矩形のブロック状に形成され、その中央上部に同径の二つのボタン挿入孔１１２，１１３が厚さ方向に離間して形成され、これらの挿入孔１１２，１１３に同様な第１の押しボタン８，８が摺動可能に挿入されている。
前記ボタン挿入孔１１２，１１３の後部内周面に、６個のガイドリブ１１４，１１５が等角度位置に形成され、それらの周囲がテーパ状に刻設されている。
【００７２】
前記ガイドリブ１１４，１１５の後端部は鋭角なカム部１１４ａ，１１５ａに形成され、このカム部１１４ａ，１１５ａに第１ボタンカム１１１の後述するドグを係合可能に配置し、第１ボタンカム１１１を時計方向へ回動可能にするとともに、その係合時に係合音を発生可能にしている。
すなわち、第１および第２の押しボタン８または９の押圧操作によって、第１ボタンカム１１１を押し下げ、カム部１１４ａ，１１５ａによる時計方向の回動力を第２ボタンカム１０９に伝え、該ボタンカム１０９と係合する後述の記憶ギアを時計方向へ同期回動可能にしている。
【００７３】
前記ボタン挿入孔１１２，１１３の間に、それらに連通する十字状の切欠溝１１６が形成され、その中央に凹孔１１７が形成されていて、これらに第２の押しボタン９が摺動可能に挿入されている。
前記ボタンケース１０７の両側に縦長の係合溝１１８，１１９が形成され、該係合溝１１８，１１９はボタンケース１０７の前面と上面に亘って形成され、これらに各押しボタン８に設けた一対の掛止片１２０，１２１が挿入され、その端部の突起１２０ａ，１２１ａをバネ受け１２２の外側フランジ１２２ａに係合可能に取付け、押しボタン８，８を抜け止めしている。
【００７４】
一方、前記凹孔１１７に第２の押しボタン９の中央部に設けた一対の掛止片１２３が挿入され、その端部の突起１２３ａを切欠溝１１６の後縁部１１６ａに係合可能に取付けて、第２の押しボタン９を抜け止めしている。
図中、１２４はボタンケース１０７の片側に設けた矩形断面の切欠溝で、吊り金具連結駒８７の一側下部を収容可能にされ、１２５，１２６はボタンケース１０７の後部に突設した位置決めピンで、前記筒状フレーム２５のピン孔２７と、段付き部３６のピン孔３０に挿入可能にされている。
【００７５】
前記押しボタン８，９は、手触りの良い合成樹脂によって操作部を中空の円筒形に形成し、その後部周面に円板状の係止フランジ１２７，１２８を突設している。
前記係止フランジ１２７の後部に、前記一対の掛止片１２０を対向して配置し、その対向位置と直交方向に葉形断面の柱状の係合脚１２９を配置し、その平坦な係合面１２９ａを、前記第１ボタンカム１１１の端面に係合可能に配置している。
また、前記係止フランジ１２８の内側位置に、前記一対の掛止片１２３を対向して配置し、この対向位置と直交方向の外側に葉形断面の柱状の一対の係合脚１３０を配置し、その平坦な係合面１３０ａを、前記第１ボタンカム１１１の端面に係合可能に配置している
【００７６】
実施形態では、押しボタン８の１回の押圧操作によって、１個の第１ボタンカム１１１を時計方向へ６０°回動し、つまり１／６回転させ、この回動角度をボタンカム１１１から第２ボタンカム１０９を経て前記記憶ギア１０８に伝え、該ギア１０８を同方向へ１／６回転させるようにしている。
また、第２の押しボタン９は、一対の係合脚１３０を左右の第１ボタンカム１１１の端面に係合可能に配置して、第２の押しボタン９の１回の押圧操作によって、左右の第１ボタンカム１１１を時計方向へ６０°回動し、つまり１／６回転させ、この回動角度を第１ボタンカム１１１から第２ボタンカム１０９を経て各記憶ギア１０８に伝え、該ギア１０８，１０８をそれぞれ同方向へ１／６回転させるようにしている。
【００７７】
したがって、押しボタン８，９による南京錠１への暗証入力は、１または２つの押しボタン８を個々または同時若しくは前後して押圧操作する入力法と、押しボタン９を単独に押圧操作する入力法と、押しボタン８，９を複合的に押圧操作する入力法とが採られる。
【００７８】
このうち、一の第１の押しボタン８を押圧操作する場合は、一の第１ボタンカム１１１および記憶ギア１０８に暗証情報を入力し、二つの押しボタン８を同時または前後して押圧操作する場合は、二つの第１ボタンカム１１１，１１１および対応する各記憶ギア１０８，１０８に暗証情報を入力するようにしている。
また、第２の押しボタン９を単独に押圧操作する場合は、一対の係合脚１３０を二つの第１ボタンカム１１１に係合し、一の第２の押しボタン９によって二つの第１ボタンカム１１１，１１１および対応する各記憶ギア１０８，１０８に同様な暗証情報を同時に入力し、暗証入力の手間を軽減し複雑な暗証情報を合理的に入力可能にしている。
【００７９】
更に、押しボタン８，９を複合的に押圧操作する場合は、例えば一または二つの第１の押しボタン８を異なる暗証情報で押圧操作後、押しボタン９を押圧操作して、第１の押しボタン８による暗証情報に押しボタン９による暗証情報を重畳し、複雑かつ高度な暗証情報を入力可能にしている。
【００８０】
図中、１３１は押しボタン８の内側に形成した凹孔１３２と、ボタンケース１０７のバネ受け１２２との間に挿入したボタンスプリングで、前記突起１２０ａと外側フランジ１２２ａとの係合によって、前記スプリング１３１の収容を保持し、かつその弾性によって、押しボタン８を原位置へ復帰可能に付勢している。
また、１３３は押しボタン９の内側に形成した凹孔１３４と、前記ボタンケース１０７のバネ受け１１７との間に挿入したボタンスプリングで、前記突起１２３ａと後縁部１１６ａとの係合によって、前記スプリング１３３の収容を保持し、かつその弾性によって、押しボタン９を原位置へ復帰可能に付勢している。
【００８１】
前記第１ボタンカム１１１は耐摩耗性の合成樹脂によって有底の中空円筒状に形成され、前記ボタン挿入孔１１２，１１３に挿入可能にされていて、その開口側周面の等角度位置に３個のドグ１３５が軸方向に突設され、該ドグ１３５をボタン挿入孔１１２，１１３の内周面に形成したガイドリブ１１４，１１５の間の凹溝に、係合可能に配置している。
前記第１ボタンカム１１１の開口側端面に複数の係合爪１３６が形成され、実施形態では鋸歯状の６個の係合爪１３６が等角度位置に形成され、該係合爪１３６を第２ボタンカム１０９のドグ１３７と係合可能に配置している。
【００８２】
前記第２ボタンカム１０９は耐摩耗性の合成樹脂によって中空の円筒状に形成され、その外周面を第１ボタンカム１１１の中空孔１３８の内面に摺動可能に挿入していて、後部に若干大径の円筒軸部１３９を形成し、その内部にバネ室１４０を形成している。
前記バネ室１４０にカムスプリング１１０が収容され、その他端が記憶ギア１０８の後述する凹溝の底部に着座していて、その弾性によって第２ボタンカム１０９を前方へ移動可能に付勢している。
【００８３】
前記第２ボタンカム１０９の後部周面と、円筒軸部１３９の外周面に亘って、３個のドグ１３７が等角度位置に配置され、該ドグ１３７を記憶ギア１０８の内歯１４１に係合可能に配置し、その前端部を前記係合爪１３６に係合可能に配置して、第１ボタンカム１１１の回動力を第２ボタンカム１０９に確実に伝達可能にしている。
【００８４】
前記記憶ギア１０８は耐摩耗性の合成樹脂によって略円筒状に形成され、その円筒面に複数の外歯１４２が形成され、その内側に歯車状の凹溝１４３が形成され、該凹溝１４３の内周面に複数の内歯１４１が形成されている。
前記内歯１４１に前記第２ボタンカム１０９のドグ１３７が係合可能に配置され、第２ボタンカム１０９に伝達された回動力と回動角度を記憶ギア１０８へ伝達し、その回動力と回動角度を記憶ギア１０８と噛合するロックギア６３へ伝達可能にしている。
【００８５】
前記記憶ギア１０８の中央に軸孔１４４が形成され、該孔１４４に前記記憶ギアピン３４が挿入され、記憶ギア１０８を回動可能に支持している。
図中、１４５は記憶ギア１０８の後端部に突設したリセット板受けで、リセット板４０の切欠溝４１と係合可能に形成され、この係合を介して記憶ギア１０８の悪戯や誤操作による変位をキャンセルし、初期位置にリセット可能にしている。
【００８６】
前記リセット板受け１４５の先端部に斜状のテール部１４５ａが形成され、切欠溝４１との係合を規制するとともに、リセット板４０の上動を規制している。
そして、前記テール部１４５ａの重量分布の偏在によって、切欠溝４１の係合時における一方向へのモ−メントを形成し、リセット時に記憶ギア１０８に対し、図４２上反時計方向への回動を促すようにしている。
【００８７】
一方、前記収納容器２は、電磁波シールド部材であるアルミダイカストによって有底の箱形に形成され、この箱体は実施形態では電磁波シールドボックスとして構成され、その表面をアルミダイカスト塗装しており、表面で電波を反射させ、電波の侵入や漏洩を阻止している。
また、電磁波の透過側の開口側周縁に幅広な開口縁１４６が形成され、該開口縁１４６に平面視が矩形の環状溝１４７，１４８を内外位置に形成している。
このうち、内側の環状溝１４７に電磁波シールド部材として、モネルメタル（登録商標）製の円形断面のメッシュガスケット１４９が装着され、該ガスケット１４９は両端部が密着するように長さを調整して切断し、これを内側の環状溝１４７に嵌め込んで装着し、その四辺の中央部に水性接着剤を塗布して接着している。
【００８８】
また、外側の環状溝１４８に合成ゴム製の防滴パッキン１５０が装着され、該パッキン１５０は縦長楕円形断面に形成され、これを環状溝１４８に嵌め込んで装着している。その際、環状溝１４８の底部に水溶性接着剤を薄く塗布し、防滴パッキン１５０の表面を十分に押圧し前記接着剤を浸透させて接着している。
【００８９】
前記収納容器２は収納室１５１の両側に幅広の側壁１５２が一体成形され、その底部は収納室１５１の底部の若干上方に位置し、外部からは収納室１５１の底部が突出して配置されている。
図中、１５３は側壁１５２の内部に形成された中空の通気スペースで、下方に開口されて通気可能にされ、電磁波の移動経路に空気層を形成している。
前記側壁１５２の長さ方向の両側面に横長の凹部１５４が形成され、該凹部１５４に凹部１５４と略同形の横長のゴム板１５５が感圧式接着剤によって押圧して接着され、その表面を収納容器２の表面から突出している。
【００９０】
前記開口縁１４６の一側にフック１５６が一体成形され、該フック１５６を錠前ケース６，７の下端部のフック挿入口１０５に挿入可能に設けている。
前記フック１５６の内側に屋根形断面の係止溝１５７が形成され、南京錠１による収納容器２の施錠時は、前記吊り金具ロック板９８の係合部９８ａと係合可能にされ、南京錠１の解錠時は係合部９８ａとの係合が解除されて、底板１２，１３による閉塞を解除し、開口部を開放可能にしている。
前記開口縁１４６の他側に一対の蝶番軸受１５８，１５８が離間して突設され、これらの間に前記蝶番軸１０４，１０４が配置され、その軸孔に枢軸１５９，１５９を挿入して、南京錠１と収納容器２の一端を回動可能に連結している。
【００９１】
図中、１６０は錠前ケース６，７の底面周縁に突設した係合リブで、収納容器２の開口縁１４６の外周に係合可能に配置され、南京錠１と収納容器２との気密強化を図っている
この他、１６１，１６２は前記底板１２，１３の接合部に形成した係合溝で、接合部の緊密性を図っており、１６３は吊り金具３を掛け止める堅牢な係止部材、１６４は収納容器２の収納室１５１に収納した収納物である自動車用リモコンキーで、常時微弱の電波を発射可能にされている。
【００９２】
このように構成した本発明の南京錠および収納容器の施錠装置は、南京錠１と収納容器２の製作を要する。
このうち、南京錠１は、錠前ケース４を構成する一対の錠前ケース６，７と、リセット摘み４７とリセット板４０、記憶変更板５１とロックケースアセンブリ５５、吊り金具３とその連結駒８７、吊り金具ロック板９８とボタンケースアセンブリ１０６と、を備えている。
実施形態の錠前ケース４は、上底約７７ｍｍ、下底約１２０ｍｍ、高さ約４４ｍｍの正面視等脚台形に形成され、前後方向の幅を約３３ｍｍに構成し、その下端部の前後に、厚さ約１０ｍｍ、幅約１２ｍｍの張出部１０，１１を突設している。
【００９３】
前記錠前ケース６，７は、アルミダイカストによって正面視等脚台形状の箱形に形成され、その錠前ケ−ス７の内側に、側壁１７，１８、Ｔ字枠２２、柱状フレーム２３、筒状フレーム２５、段付き枠２９、縦仕切枠９１等の縦枠と、上部壁１９の横枠と、を縦横に成形して複数のスペースを区画し、またそれらにピンや凹孔を形成して各種構成部を組み付け、または軸支可能にしている。
前記錠前ケース６，７の一側に凹状のリセット摘みスペース５を形成し、その下端部に張出部１０，１１を前後に突設し、その下面に底板１２，１３を配置して閉塞する。
【００９４】
前記リセットレバー４７は、耐摩耗性の合成樹脂によって緩やかなＶ字形の板状に形成し、その一端に管状の摘み部５０を形成し、他端にリセットピン４９を内側に突設し、それらの中間部に通孔４８を形成する。
前記リセット板４０を耐摩耗性の合成樹脂によって横長矩形に形成し、その上端部に二つの切欠溝４１を形成し、下部に係合ピン４９と係合可能な屋根形の係合片４２を突設し、該係合片４２の上端部に角形リブ４３を突設し、その上端部にバネ挿入孔４４を形成する。
【００９５】
前記記憶変更板５１を、耐摩耗性の合成樹脂によって横長矩形板状に構成し、その一端に記憶変更バネ５３を介挿可能なボス５２を突設し、中間部に二つの長孔５４を離間して斜状に形成し、他端部に三角柱状のテーパガイド５６を前方へ突設し、吊り金具連結駒８７の後端面に形成した斜状の係止面８７ｂと係合可能に配置する。
【００９６】
前記ロックケースアセンブリ５５は、耐摩耗性の合成樹脂製のロックケース５８と、該ケース５８内に回転可能に支持する合成樹脂製の二つのロックギア６３と、前記ケース５８内を左右に移動する合成樹脂製のロックプレート７０とからなり、該ロックプレート７０に二つの長孔７１を形成し、その近接位置に略台形状の係合突起７２を突設し、また上端部に角柱状の一対のガイド７３を突設する。
【００９７】
前記ロックギア６３に切欠溝６８を形成し、該切欠溝６８に前記係合突起７２を係脱可能に配置し、暗証情報入力前にそれらを係合可能に配置して、ロックプレート７０を移動可能にし、吊り金具連結駒８７の係合溝９７に係合可能にする。
そして、第１および第２押しボタン８，９による暗証情報入力後は、ロックプレート７０の移動を阻止し、係合溝９７からのロックプレート７０の後退を阻止して、南京錠１を施錠可能にする。
【００９８】
一方、暗証情報入力後は、第１および第２押しボタン８，９に暗証情報を入力して、記憶ギア１０８とロックギア６３を所定角度回動し、ロックケースアセンブリ５５を初期状態に戻してロック状態を解除し、ロックプレート７０を後退させて切欠溝６８から引き抜き、吊り金具３を上動させて引き抜き、南京錠１を解錠可能にする。
【００９９】
前記吊り金具３は、鉄鋼製の二つの吊り金具部材３ａ，３ｂを連結して構成し、これらは同径の線材の一端を湾曲成形し、その先端部に連結部７９，８０を形成し、それらをピン８１を介して回動可能に連結する。
このうち、吊り金具部材３ａは吊り金具部材３ｂよりも若干短く形成し、その湾曲部の端部をＵ字形に切削して連結部７９を形成し、吊り金具部材３ｂは湾曲部の端部を平板状に切削して連結部８０を形成し、連結部７９に連結部８０を嵌合し、それらのピン孔にピン８１を挿入して回動可能に連結する。
【０１００】
実施形態では吊り金具部材３ａ，３ｂを直径７ｍｍの線材を湾曲形成し、これを焼入れ処理し、これらとピン８１の表面をクロムメッキし、これらに対候性の合成樹脂製のチューブ８２を被覆して傷の発生を防止可能にする。
前記吊り金具部材３ａの端部に小径部８３を形成し、該小径部８３を一方の切欠孔３８に挿入可能にし、また吊り金具部材３ｂの端部に小径部８４を形成し、該小径部８４の先端側に頸部８５を形成し、該頸部８５に吊り金具連結駒８７に挿入する２本の係止ピン９０と係合可能に配置する。
【０１０１】
前記吊り金具連結駒８７は、耐摩耗性の合成樹脂によって略角柱状に形成し、その内部に角孔８８を形成し、該角孔８８に連通するピン孔８９に２本のピン９０を挿入して、角孔８８内の頸部８５に係合可能に配置し、その下部に二つの突片８７ａを突設し、該突片８７ａの下端に切欠溝９２を形成する。
前記吊り金具ロック板９８は、耐摩耗性の合成樹脂によって略板状に形成し、その下面の一端にバネ１０１を収容する凹溝１００を形成する。
【０１０２】
前記ボタンケースアセンブリ１０６は、ボタンケース１０７と、該ケース１０７の前部に取付ける機能を異にする２種類の第１および第２押しボタン８，９と、第１押しボタン８に連係する第１ボタンカム１１１と、第１ボタンカム１１１に連係する第２ボタンカム１０９と、第２ボタンカム１０９の回動角度を伝達される記憶ギア１０８と、それらの間に介挿するカムスプリング１１０と、を備えている。
【０１０３】
前記ボタンケース１０７は、耐摩耗性の合成樹脂によって略肉厚の板体に形成し、その中央上部に同径の二つのボタン挿入孔１１２，１１３を厚さ方向に離間して形成し、これらのボタン挿入孔１１２，１１３に押しボタン８，８を摺動可能に挿入する。
前記ボタン挿入孔１１２，１１３の後部内周面に、６個のガイドリブ１１４，１１５を等角度位置に形成し、それらの周囲をテーパ状に刻設し、その後端部を鋭角なカム部１１４ａ，１１５ａに形成し、このカム部１１４ａ，１１５ａに第１ボタンカム１１１のドグ１３５を係合可能に配置する。
【０１０４】
前記ボタン挿入孔１１２，１１３の間に、それらに連通する十字状の切欠溝１１６を形成し、その中央に凹孔１１７を形成し、これらに押しボタン９を摺動可能に挿入する。
前記ボタンケース１０７の両側に縦長の係合溝１１８，１１９を形成し、これらに各押しボタン８に設けた一対の掛止片１２０，１２１を挿入し、その端部の突起１２０ａ，１２１ａをバネ受け１２２の外側フランジ１２２ａに係合可能に取付け、押しボタン８，８を抜け止める。
【０１０５】
また、前記凹孔１１７に第２の押しボタン９の一対の掛止片１２３を挿入し、その端部の突起１２３ａを切欠溝１１６の後縁部１１６ａに係合可能に取付け、第２の押しボタン９を抜け止める。前記押しボタン８，９の内部とボタンケ−ス１０７内のバネ受けとの間に、ボタンスプリング１３１，１３３を挿入し、その弾性によって押しボタン８，９を原位置に復帰可能に付勢する。
【０１０６】
前記押しボタン８，９は、手触りの良い合成樹脂によって操作部を中空の円筒形に形成し、その後部周面に円板状の係止フランジ１２７，１２８を突設する。
前記係止フランジ１２７の後部に、前記一対の掛止片１２０を対向して配置し、その対向位置と直交方向に葉形柱状の係合脚１２９を配置し、その平坦な係合面１２９ａを、前記第１ボタンカム１１１の端面に係合可能に配置する。
また、前記係止フランジ１２８の内側位置に、前記一対の掛止片１２３を対向して配置し、その対向位置と直交方向に葉形柱状の一対の係合脚１３０を配置し、その平坦な係合面１３０ａを、前記第１ボタンカム１１１の端面に係合可能に配置する。
【０１０７】
このように機能を異にする二種類の第１および第２の押しボタン８，９をボタンケース１０７に抜け止め可能に装着し、各係合脚１２９，１３０の変位を第１および第２ボタンカム１１１，１０９を介して記憶ギア１０８に伝え、その押圧操作と暗証入力を独自かつ自在に行なうようにする。
また、第２の押しボタン９に一対の係合脚１３０を設け、この係合脚１３０を二つの第１ボタンカム１１１に係合させ、一の押しボタン９の押圧変位を二つの第１ボタンカム１１１，１１１と第２ボタンカム１０９，１０９に伝え、対応する記憶ギア１０８，１０８に同様な暗証情報を同時に入力し、暗証入力情報の増加と複雑な暗証情報の入力を合理的に行なうようにする。
したがって、第２の押しボタン９に連係するギアを別個に設け、これを記憶ギア１０８，１０８に噛合する構成に比べて、歯車列をコンパクト化し、構成の小形軽量化を図れる
【０１０８】
実施形態では、第１の押しボタン８の１回の押圧操作によって１個の第１ボタンカム１１１を時計方向へ６０°回動し、つまり１／６回転させ、この回動角度を第１ボタンカム１１１から第２ボタンカム１０９を経て前記記憶ギア１０８に伝え、該ギア１０８を１／６回転させる。
また、第２の押しボタン９は、一対の係合脚１３０を左右の第１ボタンカム１１１の端面に係合可能に配置し、押しボタン９の１回の押圧操作によって左右の第１ボタンカム１１１を時計方向へ６０°回動し、つまり１／６回転させ、この回動角度をボタンカム１１１から第２ボタンカム１０９を経て隣接する各記憶ギア１０８に伝え、該記憶ギア１０８，１０８をそれぞれ１／６回転可能にする。
【０１０９】
一方、前記収納容器２は、電磁波ないし磁気シールド部材のアルミダイカストによって有底の箱形に形成し、この箱体を実施形態では電磁波ないし磁気シールドボックスとして構成し、その表面をアルミダイカスト塗装し、表面で外来電波を反射させ、電波の侵入や漏洩を防止し、またその電磁波の透過側の開口側周縁に幅広な開口縁１４６を形成し、該開口縁１４６に平面視が矩形の環状溝１４７，１４８を内外位置に形成する。
【０１１０】
このうち、内側の環状溝１４７に電磁波シールド部材として、モネルメタル（登録商標）製の円形断面のメッシュガスケット１４９を装着し、該ガスケット１４９は両端部が密着するように長さを調整して切断し、これを環状溝１４７に嵌め込んで装着し、その四辺の中央部に水性接着剤を塗布して接着する。
また、外側の環状溝１４８に合成ゴム製の防滴パッキン１５０を装着し、該パッキン１５０を縦長楕円形断面に形成し、これを環状溝１４８に嵌め込んで装着する。その際、環状溝１４８の底部に水溶性接着剤を薄く塗布し、防滴パッキン１５０の表面を十分に押圧し前記接着剤を浸透させて接着する。
【０１１１】
前記収納容器２は収納室１５１の両側に幅広の側壁１５２を一体成形し、その内部に下方に開口する通気スペース１５３を形成し、その底部を収納室１５１の底部の若干上方に位置し、外部からは収納室１５１の底部を突出して配置する。
実施形態の収納容器２は、縦約５７ｍｍ、横約１２０ｍｍ、高さ約６０ｍｍ、重量約４８０ｇに構成し、その内側の収納室１５１を縦約３５ｍｍ、横約８０ｍｍ、深さ約４８ｍｍに形成する。
【０１１２】
前記側壁１５２の長さ方向の両側面に横長の凹部１５４を形成し、該凹部１５４に合成ゴム製の凹部１５４と略同形の横長のゴム板１５５を感圧式接着剤により押圧して接着し、その表面を収納容器２の表面から突出する。
前記開口縁１４６の一側にフック１５６を一体成形し、該フック１５６を錠前ケース６，７の下端部のフック挿入口１０５に挿入可能に設ける。
前記フック１５６の内側に屋根形断面の係止溝１５７を形成し、南京錠１による収納容器２の施錠時は、前記吊り金具ロック板９８の係合部９８ａと係合可能にする。
【０１１３】
前記開口縁１４６の他側に一対の蝶番軸受１５８，１５８を離間して突設し、これらの間に前記蝶番軸１０４，１０４を配置し、これらの軸孔に枢軸１５９，１５９を挿入して、南京錠１と収納容器２の一端を回動可能に連結する。
【０１１４】
このような構成部材を用いて南京錠１を組み立てる場合は、先ず錠前ケース７のピン孔３３に記憶ギアピン３４を圧入し、またリセット板４０のバネ挿入孔４４にバネ４５を挿入し、このリセット４０板を収容スペース３２上に載置し、バネ４５の上端をバネ受け４６に係合して押し縮め、その弾性を介してリセット板４０を下方へ付勢し、収容スペース３２上に位置付ける。
この後、リセットレバー４７の軸孔４８を筒状フレーム２６のボス２８に挿入し、その一端を側壁１７の切欠部１７ａに係合可能に配置し、その回動角度を規制するとともに、前記バネ４５の弾性によってボス２８を中心に時計方向へ回動可能に付勢する。
【０１１５】
次に、記憶変更板５１のボス５２に記憶変更バネ５３を挿入し、これを同高の水平な平坦面３５ａ，２５ａ，２９ａ上に載置し、前記記憶変更バネ５３の一端をＴ字枠２２に係合し、記憶変更バネ５３の弾性によって記憶変更板５１を他端側へ移動可能に付勢する。
この後、ロックプレートアセンブル５５のバネ受孔６２にバネ７８を挿入し、裏面に突設した凸状ガイド５６を前記設置した記憶変更板５１の長孔５４に挿入し、前記バネ７８の上端部を上部壁１９に当接し、該バネ７８の弾性によってロックプレートアセンブル５５を下方へ付勢する。
【０１１６】
前記ロックケースアセンブリ５５の一端部直上のピン２４に、捩りバネ７４を取付け、その一端をリブ７５，７６の間に配置し、該バネ７４の弾性によってロックプレート７７を他端側へ移動可能に付勢し、先端の係合突起７７を他端側へ突出させる。
その際、ロックプレート７７の上端部に突設した一対のガイド７３を、上部壁１９の中間部に設けた二つの凹溝１９ａに係合し、その上動を規制する。なお、ロックケースアセンブリ５５の組み立て時は、関係部材を図１９（ａ）に示すロック解除時の位置で組み込む。
【０１１７】
この後、吊り金具３を吊り金具連結駒８７に連結し、錠前ケース４に組み込む。すなわち、吊り金具部材３ａ，３ｂを連結し、これらに合成樹脂製のチューブ８２を被覆後、小径部８４の先端部を吊り金具連結駒８７の角孔８８に押し込み、ピン９０，９０の間に頸部８５を挿し込んで、小径部８４の先端部を吊り金具連結駒８７に連結する。この状況は図２４のようである。
【０１１８】
そして、吊り金具３を吊り金具連結駒８７に連結後、吊り金具連結駒８７を錠前ケース７の段付き枠２９と縦仕切り枠９１との間の下部に挿入し、その係合突起９５ａを切溝９６に係合し、一方の小径部８４を切欠孔３８に係入し、他方の小径部８３を切欠孔３８に係入する。この状況は図２８のようである。
【０１１９】
一方、前記記憶ピン３４を記憶ギア１０８の軸孔１４４を挿入し、その凹溝１４３にギアスプリング１１０を挿入し、凹溝１４３に第２ボタンカム１０９のドグ１３７を係合し、該第２ボタンカム１０９の軸筒部に第１ボタンカム１１１を挿入し、その係合爪１３６を前記ドグ１３７に係合する。
また、ボタンケース１０７の後部に突設した位置決めピン１２５，１２６を、錠前ケース７のピン孔２７，３０に嵌合し、ボタンケース１０７を錠前ケース７に装着する。
【０１２０】
この後、吊り金具ロック板９８の凹溝１００にバネ１０１を挿入し、その一端を突片８７ａ，８７ａの間の切欠溝９２に挿入し、この他端部を凸枠９９の直下に係入し、前記バネ１０１の弾性によって、係合突起９８ａを収納容器２に突設したフック１５６の係止溝１５７に係合する。
こうして各構成部材を組込み後、錠前ケース６，７を対向配置し、錠前ケース６の後方に突設した４個のピン１５を、錠前ケース７に設けた４個所のピン孔２１に挿入してカシメ、錠前ケース６，７を連結する。この状況は図４５（ａ），（ｂ）のようである。
【０１２１】
こうして組み立てた南京錠１に収納容器２を連結する場合は、前記組み立てた南京錠１と収納容器２を用意し、収納容器２の上端部に突設した蝶番軸受１５８，１５８の間に、南京錠１の下端部に突設した蝶番軸１０４，１０４を配置し、これらの軸孔に枢軸１５９，１５９を挿入して、南京錠１と収納容器２の一端を回動可能に連結する。この状況は図４８のようである。
【０１２２】
このようにして組み立てた南京錠１と収納容器２は図１乃至図４のようで、南京錠１の下部に収納容器２が開口部を閉塞して装着され、錠前ケース４の上部に吊り金具３が立設して取付けられ、南京錠１の３個の押しボタン８，８，９には、組み立て直後は暗証情報は入力されていない。
したがって、ロックケースアセンブリ５５の二つのロックギア６３と、ボタンケースアセンブリ１０６に連係する二つの記憶ギア１０８とが噛合し、またロックケースアセンブリ５５の二つのロックギア６３の切欠溝６８が、図１９（ａ）のように同方向に開口して係合突起７２と係合可能に位置し、ロックプレート７０が側方へ移動可能に置かれて、先端の係合突起７７が吊り金具連結駒８７の係合溝９７に係合している。この状況は図２０のようである。
【０１２３】
このような状況の下で南京錠１を使用する場合は、組み立て直後の南京錠１を先ずリセット操作し、組み立て時における各部の作動や変位をキャンセルし、それらを初期設定して以降の操作の確実性を図る。
前記リセット操作は、リセット摘み５０を保持して押し下げる。
このようにすると、リセットレバー４７がボス２８を中心に図１２上反時計方向へ回動し、他端のリセットピン４９が時計方向へ回動して、リセットピン４９と係合するリセット板４２がリセットバネ４５に抗して押し上げられる。
【０１２４】
このため、リセット板４２の上端部に形成した一対の切欠溝４１，４１が、記憶ギア１０８の裏面に突設したリセット板受け１４５に係合し、切欠溝４１，４１がリセット板受け１４５に沿って上動して、記憶ギア１０８を左右へ微小角度回動し、その初期位置に設定する。この状況は図４２のようである。
こうして記憶ギア１０８がリセット操作されると、該ギア１０８と噛合するロックケースアセンブリ５５の二つのロックギア６３，６３が反対方向へ微小角度回動し、これらの歯車列がリセットされる。
【０１２５】
前記リセット操作後、吊り金具３を引き上げ、短脚側の小径部８３を切欠孔３８から引き抜き、これを他方の小径部８４を中心に９０°回動し、錠前ケース４との接触を回避させて置く。
前記小径部８４を引き上げると、下部に連結した吊り金具連結駒８７が同動し、その係合溝９７がロックプレート７０の係合突起７７のテーパ面に係合し、その水平分力によってロックプレート７０が捩りバネ７４に抗して図２０上左方へ移動し、係合溝９７から後退する。この状況は図１８（ｂ）のようである。
【０１２６】
この後、小径部８４を保持して吊り金具３を中間位置へ押し下げると、これに吊り金具連結駒８７が同動し、その係合溝９７が前記係合突起７７のテーパ面を押圧し、その水平分力によってロックプレート７０が捩りバネ７４によって図１８（ｂ）上右方へ移動し、係合溝９７に係合する。この状況は図２０のようである。
【０１２７】
そして、小径部８４を保持し、吊り金具３を更に押し下げて最下位置へ押し込むと、ロックプレート７０が吊り金具連結駒８７の係合溝９７に押圧され、捩りバネ７４に抗して移動し係合溝９７から後退する。
また、吊り金具連結駒８７の裏面のテーパ面８７ｂが、記憶変更板５１のテーパガイド５７に係合し、該記憶変更板５１がバネ５３に抗して図２０上左方へ移動し、長孔５４，５４がこれに同動する。
【０１２８】
このため、前記長孔５４に係合する凸状ガイド５６が引き動かされ、該ガイド５６を突設したロックケース５８が、長孔７１の一端から長孔５４に沿って斜状に上動し、ボタンアセンブリ５５から離間する。
この結果、ロックケース５８に装着したロックギア６３が、ボタンアセンブリ５５に連係する記憶ギア１０８との噛合を解除する。この状況は図４４のようである。
【０１２９】
その際、ロックプレート７０の上端に突設したガイド７３，７３がロックケース５８と同動し、直上の凹溝１９ａ，１９ａに係入して、ロックケースアセンブリ５５の上動を実現する。
この後、リセット摘み５０を保持して前述と同様にリセット操作し、暗証情報入力直前の各部の初期状態を形成して、この後の暗証情報入力の正確性を図る。
【０１３０】
前記暗証情報入力は１若しくは２つの第１の押しボタン８の押圧操作、またはこれらと第２の押しボタン９との複合操作で行なわれ、その入力操作は、第１の押しボタン８の１回の押圧操作によって、対応する第１ボタンカム１１１を時計方向へ６０°回動し、つまり１／６回転させ、この回動角度を端部の係合爪１３６に係合するドグ１３７の先端部を介して、第２ボタンカム１０９に伝える。
したがって、第１の押しボタン８を２回押圧すると、第１ボタンカム１１１が時計方向へ１２０°回動し、つまり１／３回転し、この回動角度を第２ボタンカム１０９および記憶ギア１０８に伝える。
【０１３１】
前記第２の押しボタン９は、一対の係合脚１３０を両側の第１ボタンカム１１１の端面に係合し、その１回の押圧操作によって、両側の第１ボタンカム１１１を同時に時計方向へ６０°回動し、つまり１／６回転させ、この回動角度を前述と同様にボタンカム１１１から第２ボタンカム１０９を介して各記憶ギア１０８に伝え、該記憶ギア１０８，１０８をそれぞれ１／６回転させる。
【０１３２】
このように第１および第２の押しボタン８，９は、ボタンケース１０７に係留されつつ押圧自在に取付けられ、その複数回の押圧操作によって、複数の暗証情報を制限なく入力し得るから、多量の暗証入力情報を入力して記憶ギア１０８に伝えられる。
その際、前記第１および第２の押しボタン８，９は押圧操作後、ボタンスプリング１３１，１３３によって原位置に復帰し、１回毎の押圧操作を間欠的かつ正確に行なえ、その押圧操作はカム部１１４ａ，１１５ａと第１ボタンカム１１１のドグ１３５との係合音によって確認し得るから、暗証情報入力を正確に把握できる。
【０１３３】
実施形態では、二種類の第１および第２の押しボタン８，９をボタンケース１０７に抜け止め可能に装着し、各係合脚１２９，１３０の変位を第１および第２ボタンカム１１１，１０９を介して記憶ギア１０８に伝え、その押圧操作と暗証入力を独自かつ自在に行なえている。
また、第１の押しボタン９に一対の係合脚１３０を設け、この係合脚１３０を二つの第１ボタンカム１１１に係合させ、一の押しボタン９の押圧変位を二つの第１ボタンカム１１１，１１１と第２ボタンカム１０９，１０９に伝え、対応する記憶ギア１０８，１０８に同様な暗証情報を同時に入力し、暗証入力情報の増加と複雑な暗証情報の入力を合理的に行なえる。
【０１３４】
したがって、第２の押しボタン９に連係するギアを別個に設け、これを記憶ギア１０８，１０８に噛合する構成に比べて、歯車列をコンパクト化し、構成の小形軽量化と構成部品の低減を図れる。
また、押しボタン９によって同一の入力情報を押しボタン８，８に一時に入力し、ボタン８，８による既入力の暗証情報に重畳し得るから、一の暗証情報入力を合理的かつ速やかに行なえるとともに、情報内容を高度かつ複雑化して使用上の安全性を図れる。
【０１３５】
こうして第１および第２の押しボタン８，９による暗証情報入力後、前記吊り金具３の小径部８４を軸方向の中間位置から最上位置へ引き上げると、吊り金具３の下部に連結した吊り金具連結駒８７が同動し、その係合溝９７がロックプレート７０に係合する。
この状況ではロックプレート７０は自在に移動し得るから、該プレート７０は前記係合によって係合溝９７から後退する。この状況は図１８（ｂ）のようである。
この後、前記小径部８４を保持して吊り金具３を押し下げ、同動する吊り金具連結駒８７を中間位置へ移動すると、ロックプレート７０が捩りバネ７４によって押し戻され、係合突起７７が係合溝９７に係合するとともに、ロックギア６３が記憶ギア１０８に噛合する。
【０１３６】
この場合、吊り金具３ないし吊り金具連結駒８７の位置は、該連結駒８７の側面に設けた弾性板９５の係合突起９５ａが、隣接する縦仕切り枠９１に形成した複数の切溝９６に係合することで確認され、その位置は係合突起９５ａと切溝９６との係合回数または係合音を確認することによって知り得る。
【０１３７】
こうしてロックギア６３，６３と記憶ギア１０８，１０８を噛合後、前述と同様にリセット操作し、記憶ギア１０８，１０８に記憶された暗証情報をロックギア６３，６３へ移動する。
前記リセット操作は、リセット摘み５０を保持して押し下げ、ボス２８を中心にリセットレバー４７を回動し、リセットピン４９を上向きに回動してリセット板４０を上動し、その切欠溝４１，４１を記憶ギア１０８の裏面のリセット板受け１４５に係合する。
【０１３８】
その際、記憶ギア１０８，１０８は暗証情報入力によって回動角度を異にし、リセット板受け１４５の位置が区々になるため、切欠溝４１との係合が不完全になる。
しかし、この係合時にはリセット板受け１４５の偏在重量分布によるモ−メントによって、記憶ギア１０８，１０８が基本的に反時計方向へ回動する。
【０１３９】
そこで、リセット摘み５０を暗証情報入力分押し下げ、すなわち暗証情報入力角度を１回の入力角度６０°で除した回数分、押し下げて操作する。
このようにすると、記憶ギア１０８が暗証情報入力角度分、基本的に反時計方向へ回動し、これに噛合するロックギア６３が時計方向へ回動し、記憶ギア１０８の暗証情報入力がロックギア６３へ移動する。
【０１４０】
その際、ロックギア６３，６３に形成した切欠溝６８，６８が区々の方向へ開口して、係合突起７２，７２と係合不可能になり、また係合突起７２，７２がロックギア６３，６３の周面に係合可能に位置するため、ロックプレート７０の移動が拘束され、その係合突起７７と係合溝９７との係合が保持されて、吊り金具３のロック状態が形成される。この状況は図１９（ｂ）および図２０のようである。
【０１４１】
この後、吊り金具３を係止部材１６３に引っ掛け、その短脚側の小径部８３を切欠孔３８に挿入して、吊り金具３の両端部を南京錠１に装着する。
また、これと前後して収納容器２の収納室１５１に、例えば自動車のリモコンキー１６４や貴重品等を収納し、その開口部を南京錠１の底部で閉塞し、フック１５６の係止溝１５７に吊り金具ロック板９８の係合部９８を掛け止める。
したがって、前述のような吊り金具３のロック時には、吊り金具３が係止部材１６３に係留され、収納容器２の施錠状態が維持されるから、自動車のリモコンキー１６４や貴重品等の盗難を防止し得る。
【０１４２】
しかも、収納容器２は周囲を電磁波シールド部材であるアルミダイカスト部材で区画し、その表面をアルミダイカスト塗装して、電磁波シールドボックスとして構成し、表面で電波を反射し、電波の侵入や漏洩を阻止するとともに、収納室１５１の開口側周縁に電磁波シールド部材としてメッシュガスケット１４９を装着し、電磁波の透過を阻止しているから、外来電波の侵入を防止するとともに、リモコンキー１６４からの発信電波の漏洩を防止する。
【０１４３】
しかも、収納室１５１の両側に中空の通気スペース１５４を配置しているから、該スペース１５４を通過する外来電波や、リモコンキー１６４からの発信電波が減衰され、リモコンキー１６４からの発信電波の漏洩による自動車の開扉や盗難事故、およびその盗用を防止し、不正な自動車運転やその自動車故の発生を強力に防止する。
【０１４４】
次に、本発明の南京錠１を解除する場合は、先ず南京錠１を前述と同様にリセット操作し、暗証情報入力および暗証情報移動後のロックギア６３と、記憶ギア１０８に対する不正な操作や悪戯による各部の変状をキャンセルし、解錠操作の正確性を図る。
前記リセット操作後、前記暗証入力情報に基いて第１および第２の押しボタン８，９を押圧入力し、ロックケースアセンブリ５５を暗証情報入力前のロック解除状態に設定する
【０１４５】
前記解錠操作は基本的に第１の押しボタン８，８の押圧入力で行なえる。
すなわち、第１の押しボタン８を暗証情報入力分、つまり押しボタン８の暗証情報入力角度を１回の回動角度６０°で除した回数分押圧すると、第１ボタンカム１１１が時計方向へ押圧回数に６０°を乗じた角度回動し、これに第２ボタンカム１０９が係合爪１３６を介して同期回動し、該ボタンカム１０９のドグ１３７と係合する記憶ギア１０８が同期回動する。
このため、記憶ギア１０８と噛合するロックギア６３が基本的に反時計方向へ前記角度分回動し、暗証情報入力前の初期状態を形成する。
【０１４６】
また、第２の押しボタン９を暗証情報入力分、つまり押しボタン９の暗証情報入力角度を１回の回動角度６０°で除した回数分押圧すると、第１ボタンカム１１１が時計方向へ押圧回数に６０°を乗じた角度回動し、これに第２ボタンカム１０９が係合爪１３６を介して同期回動し、該ボタンカム１０９のドグ１３７と係合する記憶ギア１０８が同期回動する。
このため、記憶ギア１０８と噛合するロックギア６３が基本的に反時計方向へ前記角度分回動し、暗証情報入力前の初期状態を回復する。
その際、左右の押しボタン８の複数回の押圧操作が面倒な場合は、その共通回数分、押しボタン９を押圧操作することによって、押しボタン８の押圧操作を省略し、この種の操作を合理的かつ速やかに行なう。
【０１４７】
こうしてロックギア６３，６３が暗証情報入力前の初期状態を回復すると、それらの切欠溝６８，６８が区々な図１９（ｂ）の位置から同方向へ開口し、図１９（ａ）のロック解錠状態を形成するから、ロックプレート７０の移動が可能になる。
したがって、この後、吊り金具３の小径部８４を引き上げると、吊り金具３の下部に連結した吊り金具連結駒８７が同動し、係合溝９７にロックプレート７０が接触して後退し、吊り金具３のロック状態が解除される。この状況は図２０のようである。
この後、吊り金具３の小径部８３を切欠孔３８から引き抜き、吊り金具３を係止部材１６３から掛け外す。
【０１４８】
一方、このような状況から吊り金具連結駒８７を引き上げると、下端部の突片８７ａが係止片１０２から引き抜かれ、吊り金具ロック板９８の拘束が解かれるため、先端の係合部９８ａがフック１５６の係止溝１５７との係合を解除する。
このため、収納容器２が枢軸１５９，１５９を中心に下向きに回動し、収納室１５１が開放されて、収納室１５１からリモコンキー等の収納物１６４を回収し得る。
【０１４９】
なお、南京錠１は一の暗証情報によって使用されるが、単一の暗証情報の長期間の使用は南京錠１の盗用を招き、また盗難の惧れがあるから、暗証情報を定期的に変更することが望ましい。
そのような場合は、前述の暗証入力時と同様に、吊り金具３の小径部８４を保持して軸方向へ押し下げ、これに吊り金具連結駒８７を同動させて、裏面のテーパ面８７ｂと記憶変更板５１のテーパガイド５７を介し、ロックケースアセンブリ５５を上動させ、ロックギア６３と記憶ギア１０８との噛合を解除する。
【０１５０】
この後、リセット摘み５０を介し前述と同様にリセット操作し、記憶ギア１０８に記憶された暗証情報をキャンセル後、第１および第２の押しボタン８，９を押圧して新しい暗証情報を入力することで行なう。
【産業上の利用可能性】
【０１５１】
このように本発明の南京錠および収納容器の施錠装置は、多数の暗証情報を容易かつ速やかに設定でき、またリセット操作によって暗証情報を施解錠機構に確実に移動し、この暗証情報を基に施解錠可能にして南京錠の安全性と使用上の利便性を向上するとともに、南京錠を電磁波ないし磁気シールド機能を備えた収納容器に装着し、収納容器の施錠を確実かつ安全に行なえ、内部に収納した収納物を外来電波や発信電波から確実かつ安全に遮蔽し、外来電波や発信電波による自動車の開扉や盗難、盗用を未然に防止し得るから、例えば自動車のリモコンキー、ＩＣカード、磁気カード、貴重品等を収納する収納容器の施錠に好適である。
【符号の説明】
【０１５２】
１              南京錠
２              収納容器
３              吊り金具
８，９          第１および第２の押しボタン
４０            リセット板
４１            切欠溝
４７            リセットレバー
４９            リセットピン
５１            記憶変更板
【０１５３】
５７            テ−パガイド
６４            長孔
５５            ロックケースアセンブリ
５６            凸状ガイド
５８            ロックケース
６３            ロックギア
６８            切欠溝
７０            ロックプレート
７７            係合突起
【０１５４】
８７            吊り金具連結駒
９１            縦仕切り枠
９５            弾性片
９５ａ          係合突起
９６            切溝
９７            係合溝
９８            吊り金具ロック板
１０６          ボタンケ−スアセンブリ
１０８          記憶ギア
１０９          第２ボタンカム
【０１５５】
１１１          第１ボタンカム
１０９          第２ボタンカム
１２９，１３０  係合脚
１３５，１３７  ドグ
１４３          凹溝
１４５          リセット板受け
１４９          電磁波シ−ルド部材
１５３          通気スペース
１５６          フック
１５７          係止溝
【図１】
2019100107.tif 000003
【図２】
2019100107.tif 000004
【図３】
2019100107.tif 000005
【図４】
2019100107.tif 000006
【図５】
2019100107.tif 000007
【図６】
2019100107.tif 000008
【図７】
2019100107.tif 000009
【図８】
2019100107.tif 000010
【図９】
2019100107.tif 000011
【図１０】
2019100107.tif 000012
【図１１】
2019100107.tif 000013
【図１２】
2019100107.tif 000014
【図１３】
2019100107.tif 000015
【図１４】
2019100107.tif 000016
【図１５】
2019100107.tif 000017
【図１６】
2019100107.tif 000018
【図１７】
2019100107.tif 000019
【図１８】
2019100107.tif 000020
【図１９】
2019100107.tif 000021
【図２０】
2019100107.tif 000022
【図２１】
2019100107.tif 000023
【図２２】
2019100107.tif 000024
【図２３】
2019100107.tif 000025
【図２４】
2019100107.tif 000026
【図２５】
2019100107.tif 000027
【図２６】
2019100107.tif 000028
【図２７】
2019100107.tif 000029
【図２８】
2019100107.tif 000030
【図２９】
2019100107.tif 000031
【図３０】
2019100107.tif 000032
【図３１】
2019100107.tif 000033
【図３２】
2019100107.tif 000034
【図３３】
2019100107.tif 000035
【図３４】
2019100107.tif 000036
【図３５】
2019100107.tif 000037
【図３６】
2019100107.tif 000038
【図３７】
2019100107.tif 000039
【図３８】
2019100107.tif 000040
【図３９】
2019100107.tif 000041
【図４０】
2019100107.tif 000042
【図４１】
2019100107.tif 000043
【図４２】
2019100107.tif 000044
【図４３】
2019100107.tif 000045
【図４４】
2019100107.tif 000046
【図４５】
2019100107.tif 000047
【図４６】
2019100107.tif 000048
【図４７】
2019100107.tif 000049
【図４８】
2019100107.tif 000050